(57)【要約】記録再生装置（１）は、記録媒体（１００）から読み取られた読取信号（ＲＲＦ）の振幅レベルを所定の振幅制限値にて制限して振幅制限信号（ＲＳＬＩＭ）を取得する振幅制限手段（１５１、１５２）と、振幅制限信号に対して高域強調フィルタリング処理を行うことで等化補正信号（ＲＳＨ）を取得するフィルタリング手段（１５３）とを備え、振幅制限手段は、振幅制限値の上限（Ｌ１）及び下限（Ｌ２）の夫々を、個別に設定する。
2008053543.tif 000002
【特許請求の範囲】
【請求項１】
記録媒体から読み取られた読取信号の振幅レベルを所定の振幅制限値にて制限して振幅制限信号を取得する振幅制限手段と、
前記振幅制限信号に対して高域強調フィルタリング処理を行うことで等化補正信号を取得するフィルタリング手段と
を備え、
前記振幅制限手段は、前記振幅制限値の上限及び下限の夫々を、個別に設定することを特徴とする情報再生装置。
【請求項２】
前記振幅制限値の上限は、前記読取信号のリファレンスサンプル点前又は前記リファレンスサンプル点後のサンプル値であって且つリファレンスレベル以上の値を有するサンプル値の平均値であることを特徴とする請求の範囲第１項に記載の情報再生装置。
【請求項３】
前記振幅制限値の下限は、前記読取信号のリファレンスサンプル点前又は前記リファレンスサンプル点後のサンプル値であって且つリファレンスレベル以下の値を有するサンプル値の平均値であることを特徴とする請求の範囲第１項に記載の情報再生装置。
【請求項４】
前記振幅制限値の上限は、前記読取信号のうちランレングスの最も短い記録データを読み取った際に得られる読取信号の信号レベルよりも大きく且つ前記読取信号のうちランレングスが２番目に短い記録データを読み取った際に得られる読取信号の信号レベルよりも小さいことを特徴とする請求の範囲第１項に記載の情報再生装置。
【請求項５】
前記振幅制限値の下限は、前記読取信号のうちランレングスの最も短い記録データを読み取った際に得られる読取信号の信号レベルよりも小さく且つ前記読取信号のうちランレングスが２番目に短い記録データを読み取った際に得られる読取信号の信号レベルよりも大きいことを特徴とする請求の範囲第１項に記載の情報再生装置。
【請求項６】
前記振幅制限値の上限及び下限の少なくとも一方は、(i)前記読取信号のうちランレングスが最も長い記録データを読み取った際に得られる読取信号の最大振幅に対する、前記読取信号のうちランレングスが最も短い記録データを読み取った際に得られる読取信号の振幅中心のずれ量を示すアシンメトリ値、(ii)前記読取信号の振幅中心の平均値を示す全体β値、及び(iii)前記読取信号のうちランレングスが最も短い記録データを読み取った際に得られる読取信号の振幅中心と、前記読取信号のうちランレングスが２番目に短い記録データを読み取った際に得られる読取信号の振幅中心とのずれを示す部分β値の少なくとも一つに応じて設定されることを特徴とする請求の範囲第１項に記載の情報再生装置。
【請求項７】
前記振幅制限値の上限は、前記読取信号のリファレンスサンプル点前又は前記リファレンスサンプル点後のサンプル値であって且つリファレンスレベル以上の値を有するサンプル値の平均値に対して、前記アシンメトリ値、前記全体β値及び前記部分β値の少なくとも一つに応じて設定されるオフセット値を加算することで設定されることを特徴とする請求の範囲第６項に記載の情報再生装置。
【請求項８】
前記振幅制限値の下限は、前記読取信号のリファレンスサンプル点前又は前記リファレンスサンプル点後のサンプル値であって且つリファレンスレベル以下の値を有するサンプル値の平均値に対して、前記アシンメトリ値、前記全体β値及び前記部分β値の少なくとも一つに応じて設定されるオフセット値を加算することで設定されることを特徴とする請求の範囲第６項に記載の情報再生装置。
【請求項９】
前記読取信号のリファレンスサンプル点前又は前記リファレンスサンプル点後のサンプル値であって且つリファレンスレベル以上の値を有するサンプル値の平均値及び前記読取信号のリファレンスサンプル点前又は前記リファレンスサンプル点後のサンプル値であって且つリファレンスレベル以下の値を有するサンプル値の平均値のうち絶対値の小さい方の値が、前記振幅制限値の上限及び下限の一方として設定され、前記２つの平均値のうち絶対値の小さい方の値に前記部分β値の２倍の値を加算した値が、前記振幅制限値の上限及び下限の他方として設定されることを特徴とする請求の範囲第６項に記載の情報再生装置。
【請求項１０】
前記振幅制限値の上限と下限との和が、前記全体β値がゼロである場合における前記振幅制限値の上限と下限の和と等しくなるように、前記振幅制限値の上限及び下限の少なくとも一方が設定されることを特徴とする請求の範囲第６項に記載の情報再生装置。
【請求項１１】
前記振幅制限値の上限及び下限の少なくとも一方は、前記読取信号の波形歪みの量である波形歪み量に応じて設定されることを特徴とする請求の範囲第１項に記載の情報再生装置。
【請求項１２】
前記振幅制限値の上限は、前記読取信号のリファレンスサンプル点前又は前記リファレンスサンプル点後のサンプル値であって且つリファレンスレベル以上の値を有するサンプル値の平均値に対して、前記波形歪み量に応じて設定されるオフセット値を加算することで設定されることを特徴とする請求の範囲第１１項に記載の情報再生装置。
【請求項１３】
前記振幅制限値の下限は、前記読取信号のリファレンスサンプル点前又は前記リファレンスサンプル点後のサンプル値であって且つリファレンスレベル以下の値を有するサンプル値の平均値に対して、前記波形歪み量に応じて設定されるオフセット値を加算することで設定されることを特徴とする請求の範囲第１１項に記載の情報再生装置。
【請求項１４】
前記振幅制限値の上限及び下限の少なくとも一方は、前記振幅制限値の上限及び下限の夫々が前記波形歪みと交わらなくなるように設定されることを特徴とする請求の範囲第１１項に記載の情報再生装置。
【請求項１５】
前記振幅制限手段は、記録データのうちユーザデータに相当する読取信号の振幅レベルを制限する場合における前記振幅制限値の上限及び下限の少なくとも一方を、前記ユーザデータに相当する読取信号の波形歪み量に応じて設定し、前記記録データのうち前記ユーザデータを再生する際の同期を取るために用いられる同期データに相当する読取信号の振幅レベルを制限する場合における前記振幅制限値の上限及び下限の少なくとも一方を、前記同期データに相当する読取信号の波形歪み量に応じて設定することを特徴とする請求の範囲第１１項に記載の情報再生装置。
【請求項１６】
記録媒体から読み取られた読取信号の振幅レベルを所定の振幅制限値にて制限して振幅制限信号を取得する振幅制限工程と、
前記振幅制限信号に対して高域強調フィルタリング処理を行うことで等化補正信号を取得するフィルタリング工程と
を備え、
前記振幅制限工程においては、前記振幅制限値の上限及び下限の夫々が、個別に設定されることを特徴とする情報再生方法。
【請求項１７】
記録媒体から読み取られた読取信号の振幅レベルを所定の振幅制限値にて制限して振幅制限信号を取得する振幅制限手段と、前記振幅制限信号に対して高域強調フィルタリング処理を行うことで等化補正信号を取得するフィルタリング手段とを備え、前記振幅制限手段は、前記振幅制限値の上限及び下限の夫々を、個別に設定する情報再生装置に備えられたコンピュータを制御する再生制御用のコンピュータプログラムであって、
該コンピュータを、前記振幅制限手段及び前記フィルタリング手段の少なくとも一部として機能させることを特徴とする再生制御用のコンピュータプログラム。
【発明の詳細な説明】
【技術分野】
【０００１】
本発明は、例えば記録媒体に記録された記録データの再生を行う情報再生装置及び方法であって、特に記録媒体に記録された記録データを読み取ることで得られる読取信号に対してフィルタリング処理等の波形等化を行う情報再生装置及び方法、並びにコンピュータをこのような情報再生装置として機能させるコンピュータプログラムの技術分野に関する。
【背景技術】
【０００２】
記録データが高密度記録されている記録媒体から読み取られた読取信号のＳＮ比を改善すべく、かかる読取信号に対して高域を強調するフィルタリング処理を施して波形等化を行う技術が知られている。特に、特許文献１によれば、読取信号の振幅制限を行った後にフィルタリング処理を行うことで、符号間干渉を生じさせることなく、高域を強調することができる技術（いわゆるリミットイコライザに関する技術）が開示されている。【０００３】
【特許文献１】特許第３４５９５６３号
【発明の開示】
【発明が解決しようとする課題】
【０００４】
このようなリミットイコライザでは、振幅制限値の上限及び下限は、ランレングスの最も短い記録データ（例えば、ＤＶＤであればランレングス３Ｔの記録データであり、Ｂｌｕ−ｒａｙ  Ｄｉｓｃであればランレングス２Ｔの記録データ）を読み取った際に得られる読取信号の信号レベルよりも大きく且つ２番目にランレングスの短い記録データ（例えば、ＤＶＤであればランレングス４Ｔの記録データであり、Ｂｌｕ−ｒａｙ  Ｄｉｓｃであればランレングス３Ｔの記録データ）を読み取った際に得られる読取信号レベルよりも小さい値に設定される。そして、振幅制限値の上限及び下限は、ゼロレベル（又は、リファレンスレベル）を基準として上下対称となるように設定される。【０００５】
しかしながら、このように振幅制限値の上限及び下限を上下対称となるように設定した場合には、特にアシンメトリが発生している読取信号に対して、アシンメトリが発生している方向に応じて、上限又は下限が過度に大きく又は小さくなりかねない。これは、符号間干渉の影響やジッタの発生を排除することができず好ましくない。【０００６】
本発明は、例えば上述した従来の問題点に鑑みなされたものであり、例えばより良好に振幅制限を行いながら波形等化を行うことができる情報再生装置及び方法、並びにコンピュータプログラムを提供することを課題とする。
【課題を解決するための手段】
【０００７】
上記課題を解決するために、本発明の情報再生装置は、記録媒体から読み取られた読取信号の振幅レベルを所定の振幅制限値にて制限して振幅制限信号を取得する振幅制限手段と、前記振幅制限信号に対して高域強調フィルタリング処理を行うことで等化補正信号を取得するフィルタリング手段とを備え、前記振幅制限手段は、前記振幅制限値の上限及び下限の夫々を、個別に設定する。【０００８】
上記課題を解決するために、本発明の情報再生方法は、記録媒体から読み取られた読取信号の振幅レベルを所定の振幅制限値にて制限して振幅制限信号を取得する振幅制限工程と、前記振幅制限信号に対して高域強調フィルタリング処理を行うことで等化補正信号を取得するフィルタリング工程とを備え、前記振幅制限工程においては、前記振幅制限値の上限及び下限の夫々が、個別に設定される。【０００９】
上記課題を解決するために、本発明のコンピュータプログラムは、記録媒体から読み取られた読取信号の振幅レベルを所定の振幅制限値にて制限して振幅制限信号を取得する振幅制限手段と、前記振幅制限信号に対して高域強調フィルタリング処理を行うことで等化補正信号を取得するフィルタリング手段とを備え、前記振幅制限手段は、前記振幅制限値の上限及び下限の夫々を、個別に設定する情報再生装置に備えられたコンピュータを制御する再生制御用のコンピュータプログラムであって、該コンピュータを、前記振幅制限手段及び前記フィルタリング手段の少なくとも一部として機能させる
本発明の作用及び他の利得は次に説明する実施の形態から明らかにされよう。
【図面の簡単な説明】
【００１０】
【図１】第１実施例に係る情報再生装置の基本構成を概念的に示すブロック図である。
【図２】第１実施例に係るリミットイコライザの構成を概念的に示すブロック図である。
【図３】振幅制限値の上限及び下限の設定動作を、サンプル値系列上で概念的に示す波形図である。
【図４】高域強調読取サンプル値系列の取得動作を、サンプル値系列上で概念的に示す波形図である。
【図５】アシンメトリが発生している場合における、サンプル値系列並びに振幅制限値の上限及び下限を概念的に示す波形図である。
【図６】アシンメトリ対ジッタ値の相関関係を概念的に示すグラフである。
【図７】第２実施例に係る情報再生装置の基本構成を概念的に示すブロック図である。
【図８】第２実施例に係るリミットイコライザの構成を概念的に示すブロック図である。
【図９】β値を概念的に示す波形図である。
【図１０】β値に基づくオフセット値を算出するオフセット算出ブロックの構成を概念的に示すブロック図である。
【図１１】β値に基づくオフセット値を算出する場合の、第２実施例に係る情報再生装置の一の動作の流れを概念的に示すフローチャートである。
【図１２】β値に基づくオフセット値を算出する場合の、第２実施例に係る情報再生装置の他の動作の流れを概念的に示すフローチャートである。
【図１３】別のβ値を概念的に示す波形図である。
【図１４】別のβ値を算出するオフセット算出ブロックの構成を概念的に示すブロック図である。
【図１５】アシンメトリ値を概念的に示す波形図である。
【図１６】アシンメトリ値に基づくオフセット値を算出するオフセット算出ブロックの構成を概念的に示すブロック図である。
【図１７】アシンメトリ値に基づくオフセット値を算出する場合の、第２実施例に係る情報再生装置の一の動作の流れを概念的に示すフローチャートである。
【図１８】アシンメトリ値に基づくオフセット値を算出する場合の、第２実施例に係る情報再生装置の他の動作の流れを概念的に示すフローチャートである。
【図１９】波形歪みを概念的に示す波形図である。
【図２０】波形歪み量に基づくオフセット値を算出するオフセット算出ブロックの構成を概念的に示すブロック図である。
【図２１】他の波形歪みを概念的に示す波形図である。
【図２２】波形歪み量に基づくオフセット値を算出する場合の、第２実施例に係る情報再生装置２の一の動作の流れを概念的に示すフローチャートである。
【図２３】波形歪み量に基づくオフセット値を算出する場合の、第２実施例に係る情報再生装置２の他の動作の流れを概念的に示すフローチャートである。
【図２４】振幅制限値の上限及び下限を背景技術の手法で設定した場合及び振幅制限値の上限及び下限を個別に設定した場合の夫々における高域強調読取サンプル値系列の取得動作を、波形歪みが発生しているサンプル値系列上で概念的に示す波形図である。
【図２５】振幅制限値の上限又は下限と波形歪みとの位置関係に対するシンボルエラーレートの変化を示すグラフである。
【図２６】同期データが記録データに含まれていることを考慮しながら、波形歪み量に基づいてオフセット値を算出するオフセット算出ブロックの構成を概念的に示すブロック図である。
【符号の説明】
【００１１】
１、２  情報再生装置
１０  スピンドルモータ
１１  ピックアップ
１２  ＨＰＦ
１３  Ａ／Ｄ変換器
１４  プリイコライザ
１５、２５  リミットイコライザ
１６  ２値化回路
１７  復号回路
１５１  振幅制限値設定ブロック
１５１６  平均化回路
１５２  振幅制限ブロック
１５２２  補間フィルタ
１５２３  上限リミッタ
１５２４  下限リミッタ
１５３  高域強調ブロック
１５４  オフセット算出ブロック
Ｌ１  振幅制限値の上限
Ｌ２  振幅制限値の下限
【発明を実施するための最良の形態】
【００１２】
以下、発明を実施するための最良の形態として、本発明の情報再生装置及び方法、並びにコンピュータプログラムに係る実施形態の説明を進める。【００１３】
（情報再生装置の実施形態）
本発明の情報再生装置に係る実施形態は、記録媒体から読み取られた読取信号の振幅レベルを所定の振幅制限値にて制限して振幅制限信号を取得する振幅制限手段と、前記振幅制限信号に対して高域強調フィルタリング処理を行うことで等化補正信号を取得するフィルタリング手段とを備え、前記振幅制限手段は、前記振幅制限値の上限及び下限の夫々を、個別に設定する。【００１４】
本発明の情報再生装置に係る実施形態によれば、振幅制限手段の動作により、記録媒体から読み取られた読取信号の振幅レベルが制限される。具体的には、読取信号のうち振幅レベルが振幅制限値の上限よりも大きい又は下限より小さい信号成分は、振幅レベルが振幅制限値の上限又は下限に制限される。他方、読取信号のうち振幅レベルが振幅制限値の上限以下且つ下限以上である信号成分は、振幅レベルが制限されることはない。このように振幅レベルの制限が施された読取信号は、振幅制限信号としてフィルタリング手段へ出力される。フィルタリング手段においては、振幅制限信号に対して高域強調フィルタリング処理を行う。その結果、等化補正信号が取得される。その後は、等化補正信号に対して、例えば２値化処理や復号化処理等が行われる。これにより、記録媒体に記録された記録データ（例えば、映像データや音声データ等）の再生処理を行うことができる。【００１５】
これにより、フィルタリング手段上において、読取信号（又はそのサンプル値）のばらつき（つまり、ジッタ）の発生を抑制することができ、その結果、符号間干渉を生じさせることなく、読取信号の高域強調を行うことができる。【００１６】
本実施形態では特に、振幅制限手段は、振幅制限値の上限及び下限の夫々を個別に（言い換えれば、別個独立に）設定することができる。その結果、本実施形態においては、振幅制限値の上限と振幅制限値の下限とが、リファレンスレベル（例えば、ゼロレベル）に対して対称な位置にある関係にならない場合があり得る。言い換えれば、振幅制限値の上限の絶対値と振幅制限値の下限絶対値とが異なる値になる場合があり得る。【００１７】
このため、例えば読取信号にアシンメトリ等が生じた場合であっても、該アシンメトリ等の影響を考慮して振幅制限値の上限及び下限の夫々を個別に設定することができる。このため、アシンメトリ等が発生していることに起因して、振幅制限値の上限又は振幅制限値の下限が、読取信号の振幅レベルに対して過度に大きく又は小さくなってしまうという不都合を好適に防止することができる。このため、符号間干渉を生じさせることなく、読取信号の高域強調を行うことができる。【００１８】
このように、本実施形態に係る情報再生装置によれば、より良好に振幅制限を行いながら波形等化を行うことができる。【００１９】
本発明の情報再生装置に係る実施形態の一の態様は、前記振幅制限値の上限は、前記読取信号のリファレンスサンプル点前又は前記リファレンスサンプル点後のサンプル値であって且つリファレンスレベル以上の値を有するサンプル値の平均値である。【００２０】
この態様によれば、振幅制限値の上限を好適に設定することができる。【００２１】
尚、本実施形態における「リファレンスサンプル点」とは、読取信号の信号レベルがリファレンスレベルと同一となる点を示す。リファレンスレベルがゼロレベルである場合には、リファレンスサンプル点は、ゼロクロス点に相当する。【００２２】
また、本実施形態における「サンプル値」とは、通常用いられるサンプリング周波数で読取信号がサンプリングされた際に得られるサンプル値を示すことに加えて、該サンプル値に対して補間処理を行うことで得られる補間サンプル値をも示す趣旨である。要は、アナログ信号としての読取信号から時間軸上において離散的に分散して得られる（つまり、デジタル的に得られる）サンプル値は、本実施形態における「サンプル値」に相当する。【００２３】
本発明の情報再生装置に係る実施形態の他の態様は、前記振幅制限値の下限は、前記読取信号のリファレンスサンプル点前又は前記リファレンスサンプル点後のサンプル値であって且つリファレンスレベル以下の値を有するサンプル値の平均値である。【００２４】
この態様によれば、振幅制限値の下限を好適に設定することができる。【００２５】
本発明の情報再生装置に係る実施形態の他の態様は、前記振幅制限値の上限は、前記読取信号のうちランレングスの最も短い記録データ（例えば、記録媒体がＤＶＤであればランレングス３Ｔの記録データであり、記録媒体がＢｌｕ−ｒａｙ  Ｄｉｓｃであればランレングス２Ｔの記録データ）を読み取った際に得られる読取信号の信号レベルよりも大きく且つ前記読取信号のうちランレングスが２番目に短い記録データ例えば、記録媒体がＤＶＤであればランレングス４Ｔの記録データであり、記録媒体がＢｌｕ−ｒａｙ  Ｄｉｓｃであればランレングス３Ｔの記録データ）を読み取った際に得られる読取信号の信号レベルよりも小さい。【００２６】
この態様によれば、振幅制限値の上限を好適に設定することができる。【００２７】
本発明の情報再生装置に係る実施形態の他の態様は、前記振幅制限値の下限は、前記読取信号のうちランレングスの最も短い記録データを読み取った際に得られる読取信号の信号レベルよりも小さく且つ前記読取信号のうちランレングスが２番目に短い記録データを読み取った際に得られる読取信号の信号レベルよりも大きい。【００２８】
この態様によれば、振幅制限値の下限を好適に設定することができる。【００２９】
本発明の情報再生装置に係る実施形態の他の態様は、前記振幅制限値の上限及び下限の少なくとも一方は、(i)前記読取信号のうちランレングスが最も長い記録データを読み取った際に得られる読取信号の最大振幅に対する、前記読取信号のうちランレングスが最も短い記録データを読み取った際に得られる読取信号の振幅中心のずれ量を示すアシンメトリ値、(ii)前記読取信号の振幅中心の平均値を示す全体β値、及び(iii)前記読取信号のうちランレングスが最も短い記録データを読み取った際に得られる読取信号の振幅中心と、前記読取信号のうちランレングスが２番目に短い記録データを読み取った際に得られる読取信号の振幅中心とのずれを示す部分β値の少なくとも一つに応じて設定される。【００３０】
この態様によれば、ランレングスが異なる各記録データを読み取った際に得られる各読取信号の振幅ずれ又は振幅中心ずれ等の影響を考慮して、振幅制限値の上限や振幅制限値の下限を設定することができる。つまり、実際に発生しているアシンメトリ値やβ値（具体的には、全体β値や部分β値）に応じた最適な振幅制限値の上限や振幅制限値の下限を設定することができる。【００３１】
上述の如くアシンメトリ値、全体β値及び部分β値の少なくとも一つに応じて振幅制限値の上限及び下限の少なくとも一方が設定される情報再生装置の態様では、前記振幅制限値の上限は、前記読取信号のリファレンスサンプル点前又は前記リファレンスサンプル点後のサンプル値であって且つリファレンスレベル以上の値を有するサンプル値の平均値に対して、前記アシンメトリ値、前記全体β値及び前記部分β値の少なくとも一つに応じて設定されるオフセット値を加算することで設定されるように構成してもよい。【００３２】
このように構成すれば、実際に発生しているアシンメトリ値や全体β値や部分β値を考慮して設定されるオフセット値を加算することで、振幅制限値の上限を設定することができる。つまり、アシンメトリ値や全体β値や部分β値に応じた最適な振幅制限値の上限を、比較的容易に設定することができる。【００３３】
上述の如くアシンメトリ値、全体β値及び部分β値の少なくとも一つに応じて振幅制限値の上限及び下限の少なくとも一方が設定される情報再生装置の態様では、前記振幅制限値の下限は、前記読取信号のリファレンスサンプル点前又は前記リファレンスサンプル点後のサンプル値であって且つリファレンスレベル以下の値を有するサンプル値の平均値に対して、前記アシンメトリ値、前記全体β値及び前記部分β値の少なくとも一つに応じて設定されるオフセット値を加算することで設定されるように構成してもよい。【００３４】
このように構成すれば、実際に発生しているアシンメトリ値や全体β値や部分β値を考慮して設定されるオフセット値を加算することで、振幅制限値の下限を設定することができる。つまり、アシンメトリ値や全体β値や部分β値に応じた最適な振幅制限値の下限を、比較的容易に設定することができる。【００３５】
上述の如くアシンメトリ値、全体β値及び部分β値の少なくとも一つに応じて振幅制限値の上限及び下限の少なくとも一方が設定される情報再生装置の態様では、前記読取信号のリファレンスサンプル点前又は前記リファレンスサンプル点後のサンプル値であって且つリファレンスレベル以上の値を有するサンプル値の平均値及び前記読取信号のリファレンスサンプル点前又は前記リファレンスサンプル点後のサンプル値であって且つリファレンスレベル以下の値を有するサンプル値の平均値のうち絶対値の小さい方の値が、前記振幅制限値の上限及び下限の一方として設定され、前記２つの平均値（つまり、読取信号のリファレンスサンプル点前又は前記リファレンスサンプル点後のサンプル値であって且つリファレンスレベル以上の値を有するサンプル値の平均値及び前記読取信号のリファレンスサンプル点前又は前記リファレンスサンプル点後のサンプル値であって且つリファレンスレベル以下の値を有するサンプル値の平均値）のうち絶対値の小さい方の値に前記部分β値の２倍の値を加算した値が、前記振幅制限値の上限及び下限の他方として設定されるように構成してもよい。【００３６】
このように構成すれば、部分β値を考慮して、振幅制限値の上限や振幅制限値の下限を設定することができる。つまり、部分β値に応じた最適な振幅制限値の上限や振幅制限値の下限を設定することができる。【００３７】
上述の如くアシンメトリ値、全体β値及び部分β値の少なくとも一つに応じて振幅制限値の上限及び下限の少なくとも一方が設定される情報再生装置の態様では、前記振幅制限値の上限と下限との和が、前記全体β値がゼロである場合における前記振幅制限値の上限と下限の和と等しくなるように、前記振幅制限値の上限及び下限の少なくとも一方が設定されるように構成してもよい。【００３８】
このように構成すれば、全体β値がゼロである場合（つまり、読取信号の振幅中心の平均値がゼロレベルである場合）における上限及び下限との関係を考慮して、振幅制限値の上限や振幅制限値の下限を個別に設定することができる。【００３９】
本発明の情報再生装置に係る実施形態の他の態様は、前記振幅制限値の上限及び下限の少なくとも一方は、前記読取信号の波形歪み量に応じて設定される。【００４０】
この態様によれば、波形歪みの影響を考慮して、振幅制限値の上限や振幅制限値の下限を設定することができる。つまり、実際に発生している波形歪み量に応じた最適な振幅制限値の上限や振幅制限値の下限を設定することができる。【００４１】
尚、波形歪みは、長パターンの記録データ（例えば、記録媒体がＤＶＤであればランレングス１１Ｔの記録データであり、記録媒体がＢｌｕ−ｒａｙ  Ｄｉｓｃであればランレングス８Ｔの記録データ）を再生することで得られる読取信号に発生しやすい。【００４２】
上述の如く波形歪み量に応じて振幅制限値の上限及び下限の少なくとも一方を設定する情報再生装置の態様では、前記振幅制限値の上限は、前記読取信号のリファレンスサンプル点前又は前記リファレンスサンプル点後のサンプル値であって且つリファレンスレベル以上の値を有するサンプル値の平均値に対して、前記波形歪み量に応じて設定されるオフセット値を加算することで設定されるように構成してもよい。【００４３】
このように構成すれば、実際に発生している波形歪みを考慮して設定されるオフセット値を加算することで、振幅制限値の上限を設定することができる。つまり、波形歪み量に応じた最適な振幅制限値の上限を、比較的容易に設定することができる。【００４４】
上述の如く波形歪み量に応じて振幅制限値の上限及び下限の少なくとも一方を設定する情報再生装置の態様では、前記振幅制限値の下限は、前記読取信号のリファレンスサンプル点前又は前記リファレンスサンプル点後のサンプル値であって且つリファレンスレベル以下の値を有するサンプル値の平均値に対して、前記波形歪み量に応じて設定されるオフセット値を加算することで設定されるように構成してもよい。【００４５】
このように構成すれば、実際に発生している波形歪みを考慮して設定されるオフセット値を加算することで、振幅制限値の下限を設定することができる。つまり、波形歪み量に応じた最適な振幅制限値の下限を、比較的容易に設定することができる。【００４６】
上述の如く波形歪み量に応じて振幅制限値の上限及び下限の少なくとも一方を設定する情報再生装置の態様では、前記振幅制限値の上限及び下限の少なくとも一方は、前記振幅制限値の上限及び下限の夫々が前記波形歪みと交わらなくなるように設定されるように構成してもよい。【００４７】
このように構成すれば、波形歪みの影響を排除して、高域強調を行うことができる。【００４８】
上述の如く波形歪み量に応じて振幅制限値の上限及び下限の少なくとも一方を設定する情報再生装置の態様では、前記振幅制限手段は、記録データのうちユーザデータ（特に、長パターンのユーザデータ）に相当する読取信号の振幅レベルを制限する場合における前記振幅制限値の上限及び下限の少なくとも一方を、前記ユーザデータに相当する読取信号の波形歪み量に応じて設定し、前記記録データのうち前記ユーザデータを再生する際の同期を取るために用いられる同期データに相当する読取信号の振幅レベルを制限する場合における前記振幅制限値の上限及び下限の少なくとも一方を、前記同期データに相当する読取信号の波形歪み量に応じて設定するように構成してもよい。【００４９】
このように構成すれば、記録データを再生する際に重要な同期データに相当する読取信号に対しても、波形歪みの影響を排除することができる。【００５０】
尚、前記振幅制限手段は、ユーザデータに相当する読取信号及び同期データに相当する読取信号の夫々の振幅レベルを制限する場合における前記振幅制限値の上限及び下限の少なくとも一方を、前記同期データに相当する読取信号の波形歪み量に応じて設定するように構成してもよい。【００５１】
（情報再生方法の実施形態）
本発明の情報再生方法に係る実施形態は、記録媒体から読み取られた読取信号の振幅レベルを所定の振幅制限値にて制限して振幅制限信号を取得する振幅制限工程と、前記振幅制限信号に対して高域強調フィルタリング処理を行うことで等化補正信号を取得するフィルタリング工程とを備え、前記振幅制限工程においては、前記振幅制限値の上限及び下限の夫々が、個別に設定される。【００５２】
本発明の情報再生方法に係る実施形態によれば、上述した本発明の情報再生装置に係る実施形態が享受することができる各種効果と同様の効果を享受することができる。【００５３】
尚、上述した本発明の情報再生装置に係る実施形態における各種態様に対応して、本発明の情報再生方法に係る実施形態も各種態様を採ることが可能である。【００５４】
（コンピュータプログラムの実施形態）
本発明のコンピュータプログラムに係る実施形態は、記録媒体から読み取られた読取信号の振幅レベルを所定の振幅制限値にて制限して振幅制限信号を取得する振幅制限手段と、前記振幅制限信号に対して高域強調フィルタリング処理を行うことで等化補正信号を取得するフィルタリング手段とを備え、前記振幅制限手段は、前記振幅制限値の上限及び下限の夫々を、個別に設定する情報再生装置（即ち、上述した本発明の情報再生装置に係る実施形態（但し、その各種態様を含む））に備えられたコンピュータを制御する再生制御用のコンピュータプログラムであって、該コンピュータを、前記振幅制限手段及び前記フィルタリング手段の少なくとも一部として機能させる。【００５５】
本発明のコンピュータプログラムに係る実施形態によれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の情報再生装置に係る実施形態を比較的簡単に実現できる。【００５６】
尚、上述した本発明の情報再生装置に係る実施形態における各種態様に対応して、本発明のコンピュータプログラムに係る実施形態も各種態様を採ることが可能である。【００５７】
本発明のコンピュータプログラム製品に係る実施形態は、記録媒体から読み取られた読取信号の振幅レベルを所定の振幅制限値にて制限して振幅制限信号を取得する振幅制限手段と、前記振幅制限信号に対して高域強調フィルタリング処理を行うことで等化補正信号を取得するフィルタリング手段とを備え、前記振幅制限手段は、前記振幅制限値の上限及び下限の夫々を、個別に設定する情報再生装置（即ち、上述した本発明の情報再生装置に係る実施形態（但し、その各種態様を含む））に備えられたコンピュータにより実行可能なプログラム命令を明白に具現化し、該コンピュータを、前記振幅制限手段及び前記フィルタリング手段のうち少なくとも一部として機能させる。【００５８】
本発明のコンピュータプログラム製品に係る実施形態によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の情報再生装置に係る実施形態を比較的容易に実施可能となる。更に具体的には、当該コンピュータプログラム製品は、上述した本発明の情報再生装置に係る実施形態として機能させるコンピュータ読取可能なコード（或いはコンピュータ読取可能な命令）から構成されてよい。【００５９】
尚、上述した本発明の情報再生装置に係る実施形態における各種態様に対応して、本発明のコンピュータプログラム製品に係る実施形態も各種態様を採ることが可能である。【００６０】
本実施形態のこのような作用及び他の利得は次に説明する実施例から更に明らかにされよう。【００６１】
以上説明したように、本発明の情報再生装置に係る実施形態によれば、振幅制限手段と、フィルタリング手段とを備え、振幅制限手段は、振幅制限値の上限及び下限の夫々を個別に設定する。本発明の情報再生方法に係る実施形態によれば、振幅制限工程と、フィルタリング工程とを備え、振幅制限工程は、振幅制限値の上限及び下限の夫々を個別に設定する。本発明のコンピュータプログラムに係る実施形態によれば、コンピュータを本発明の情報再生装置に係る実施形態として機能させる。従って、より良好に振幅制限を行いながら波形等化を行うことができる。
【実施例】
【００６２】
以下、本発明の実施例を図面に基づいて説明する。【００６３】
（１）  第１実施例
初めに、図１を参照して、本発明の情報再生装置に係る第１実施例について説明を進める。ここに、図１は、第１実施例に係る情報再生装置の基本構成を概念的に示すブロック図である。【００６４】
図１に示すように、第１実施例に係る情報再生装置１は、スピンドルモータ１０と、ピックアップ（ＰＵ：Pick Up）１１と、ＨＰＦ（High Pass Filter）１２と、Ａ／Ｄ変換器１３と、プリイコライザ（Pre Equalizer）１４と、リミットイコライザ（Limit Equalizer）１５と、２値化回路１６と、復号回路１７とを備えている。【００６５】
ピックアップ１１は、スピンドルモータ１０によって回転する光ディスク１００の記録面にレーザ光ＬＢを照射した際の反射光を光電変換して読取信号ＲＲＦを生成する。【００６６】
ＨＰＦ１２は、ピックアップより出力される読取信号ＲＲＦの低域成分を除去し、その結果得られる読取信号ＲＨＣをＡ／Ｄ変換器１３へ出力する。【００６７】
Ａ／Ｄ変換器１３は、不図示のＰＬＬ（Phased Lock Loop）等から出力されるサンプリングクロックに応じて読取信号をサンプリングし、その結果得られる読取サンプル値系列ＲＳをプリイコライザ１４へ出力する。【００６８】
プリイコライザ１４は、ピックアップ１１及び光ディスク１００から構成される情報読取系の伝送特性に基づく符号間干渉を除去し、その結果得られる読取サンプル値系列ＲＳＣをリミットイコライザ１５へ出力する。【００６９】
リミットイコライザ１５は、符号間干渉を増加させることなく読取サンプル値系列ＲＳＣに対して高域強調処理を施し、その結果得られる高域強調読取サンプル値系列ＲＳＨを、２値化回路１６へ出力する。【００７０】
２値化回路１６は、高域強調読取サンプル値系列ＲＳＨに対して２値化処理を行い、その結果得られる２値化信号を復号回路１７へ出力する。【００７１】
復号回路１７は、２値化信号に対して復号処理等を行い、その結果得られる再生信号を、ディスプレイやスピーカ等の外部再生機器へ出力する。その結果、光ディスク１００に記録された記録データ（例えば、映像データや音声データ等）が再生される。【００７２】
続いて、図２を参照して、リミットイコライザ１５のより詳細な構成について説明する。ここに、図２は、第１実施例に係るリミットイコライザ１５の構成を概念的に示すブロック図である。【００７３】
図２に示すように、リミットイコライザ１５は、本発明における「振幅制限手段」の一具体例を構成する振幅制限値設定ブロック１５１と、本発明における「振幅制限手段」の一具体例を構成する振幅制限ブロック１５２と、本発明における「フィルタリング手段」の一具体例を構成する高域強調ブロック１５３とを備えている。【００７４】
振幅制限値設定ブロック１５１は、読取サンプル値系列ＲＳＣに基づいて、振幅制限ブロック１５２において用いられる振幅制限値の上限Ｌ１及び下限Ｌ２を設定する。振幅制限ブロック１５２は、振幅制限値設定ブロック１５１において設定された振幅制限値の上限Ｌ１及び下限Ｌ２に基づいて、読取サンプル値系列ＲＳＣの振幅制限処理を行う。振幅制限処理が行われたサンプル値系列ＲＳＬＩＭは、高域強調ブロック１５３へ出力される。高域強調ブロック１５３は、振幅制限処理が行われたサンプル値系列ＲＳＬＩＭに対して、高域を強調するためのフィルタリング処理を行う。その結果、高域強調読取サンプル値系列ＲＳＨが得られる。【００７５】
より具体的には、リファレンスサンプルタイミング検出回路１５１１により、読取サンプル値系列ＲＳＣに基づいて、リファレンスサンプルタイミングが検出される。検出されたリファレンスサンプルタイミングは、１クロックの遅延を付与する遅延器１５１２及びＯＲ回路１５１３を介してサンプルホールド回路１５１４へ出力される。サンプルホールド回路１５１４においては、遅延器１５１２及びＯＲ回路１５１３を介して出力されるリファレンスサンプルタイミングに応じて、補間フィルタ１５２２より出力されるサンプル値系列ＲＳＰがサンプルホールドされる。【００７６】
尚、補間フィルタ１５２２は、読取サンプル値系列ＲＳＣに対して補間演算処理を施すことにより、光ディスク１００から読み取られた読取信号ＲＲＦを、Ａ／Ｄ変換器１４において用いられるサンプリングクロックによるクロックタイミングの中間タイミングでサンプリングした際に得られる補間サンプル値系列を生成する。生成された補間サンプル値系列は、読取サンプル値系列ＲＳＣに含められて、サンプル値系列ＲＳＰとして、上限リミッタ１５２３、下限リミッタ１５２４及びセレクタ１５２５、並びにサンプルホールド回路１５１４へ出力される。【００７７】
サンプルホールドされた読取サンプル値系列ＲＳＰは、減算器１５１５においてリファレンスレベルＲｆが減算される。減算結果は、平均化回路１５１６へ出力される。平均化回路１５１６においては、サンプル値の平均値が算出される。算出されたサンプル値の平均値は、振幅制限値の上限Ｌ１及び下限Ｌ２として設定される。【００７８】
このとき、平均化回路１５１６は、上限Ｌ１及び下限Ｌ２を、別個独立に（言い換えれば、個別に）設定する。つまり、平均化回路１５１６は、サンプルホールドされたサンプル値系列ＲＳＰのうち、リファレンスレベル以上の値の平均値と、リファレンスレベル以下の値の平均値とを別個独立に算出する。【００７９】
具体的に、図３を参照して、振幅制限値設定ブロック１５１において設定される振幅制限値の上限Ｌ１及び下限Ｌ２について説明する。ここに、図３は、振幅制限値の上限Ｌ１及び下限Ｌ２の設定動作を、サンプル値系列ＲＳＣ上で概念的に示す波形図である。【００８０】
図３には、読取信号のうち、ランレングスが相対的に短い記録データ（具体的には、光ディスク１００がＢｌｕ−ｒａｙ  Ｄｉｓｃである場合においては、ランレングスが２Ｔ、３Ｔ及び４Ｔの記録データ）を読み取った際に得られる読取信号ＲＲＦとそのサンプル値系列ＲＳＣを示す。図３に示すように、リファレンスサンプル点の前（つまり、時間的に前）に位置する補間サンプル値（つまり、補間フィルタ１５２２において生成されたサンプル値）の平均値が、振幅制限値の上限Ｌ１として設定される。リファレンスサンプル点の後（つまり、時間的に後）に位置する補間サンプル値の平均値が、振幅制限値の下限Ｌ２として設定される。言い換えれば、リファレンスサンプル点の前後に位置する補間サンプル値であって且つリファレンスレベル以上の補間サンプル値の平均値が、振幅制限値の上限Ｌ１として設定される。同様に、リファレンスサンプル点の前後に位置する補間サンプル値であって且つリファレンスレベル以下の補間サンプル値の平均値が、振幅制限値の下限Ｌ２として設定される。【００８１】
尚、図３に示す例では、リファレンスサンプル点の前に位置する補間サンプル値が、リファレンスレベルＲｆ以上であるため、リファレンスサンプル点の前（時間的に前）に位置する補間サンプル値の平均値が、振幅制限値の上限Ｌ１として設定される。他方で、リファレンスサンプル点の前に位置する補間サンプル値が、リファレンスレベルＲｆ以下である場合には、リファレンスサンプル点の前に位置する補間サンプル値の平均値が、振幅制限値の下限Ｌ２として設定される。【００８２】
同様に、図３に示す例では、リファレンスサンプル点の後に位置する補間サンプル値が、リファレンスレベルＲｆ以下であるため、リファレンスサンプル点の後に位置する補間サンプル値の平均値が、振幅制限値の下限Ｌ２として設定される。他方で、リファレンスサンプル点の後に位置する補間サンプル値が、リファレンスレベルＲｆ以下である場合には、リファレンスサンプル点の後に位置する補間サンプル値の平均値が、振幅制限値の上限Ｌ１として設定される。【００８３】
このように、第１実施例においては、振幅制限値の上限Ｌ１及び下限Ｌ２が別個独立に設定される。言い換えれば、本実施例においては、リファレンスサンプル点の前及び後の夫々に位置する補間サンプル値の絶対値の平均値を算出することなく、リファレンスサンプル点の前に位置する補間サンプル値の平均値と、リファレンスサンプル点の後に位置する補間サンプル値の平均値とを個別に算出している。【００８４】
尚、図３に示す例において、リファレンスレベルがゼロレベルと一致する場合には、リファレンスサンプル点は、ゼロクロス点と一致する。【００８５】
再び図２において、上限リミッタ１５２３は、振幅制限値設定ブロック１５１において設定された上限Ｌ１に基づいて、サンプル値系列ＲＳＰに対して振幅制限を行う。具体的には、サンプル値系列ＲＳＰに含まれるサンプル値が、上限Ｌ１よりも小さい場合には、そのサンプル値をそのままサンプル値系列ＲＳＬＩＭとして出力する。他方、サンプル値系列ＲＳＰに含まれるサンプル値が、上限Ｌ１以上である場合には、上限Ｌ１をサンプル値系列ＲＳＬＩＭとして出力する。【００８６】
同様に、下限リミッタ１５２４は、振幅制限値設定ブロック１５１において設定された下限Ｌ２に基づいて、サンプル値系列ＲＳＰに対して振幅制限を行う。具体的には、サンプル値系列ＲＳＰに含まれるサンプル値が、下限Ｌ２よりも大きい場合には、そのサンプル値をそのままサンプル値系列ＲＳＬＩＭとして出力する。他方、サンプル値系列ＲＳＰに含まれるサンプル値が、下限Ｌ２以下である場合には、下限Ｌ２をサンプル値系列ＲＳＬＩＭとして出力する。【００８７】
セレクタ１５２５は、上限リミッタ１５２３及び下限リミッタ１５２４の夫々の出力を適宜切り替えて、サンプル値系列ＲＳＬＩＭを高域強調ブロック１５３へ出力する。具体的には、サンプル値系列ＲＳＬＩＭに含まれるサンプル値がリファレンスレベルＲｆよりも大きい場合には、セレクタ１５２５は、上限リミッタ１５２３からの出力を、サンプル値系列ＲＳＬＩＭとして高域強調ブロック１５３へ出力する。同様に、サンプル値系列ＲＳＬＩＭに含まれるサンプル値がリファレンスレベルＲｆよりも小さい場合には、セレクタ１５２５は、下限リミッタ１５２４からの出力を、サンプル値系列ＲＳＬＩＭとして高域強調ブロック１５３へ出力する。【００８８】
このとき、サンプル値系列ＲＳＬＩＭに含まれるサンプル値が、２‘ｓＣｏｍｐ表現で示されている場合には、サンプル値とリファレンスレベルＲｆとの比較を行うことに代えて、サンプル値の符号ビットを参照するように構成してもよい。サンプル値の符号ビットが正（＋）を示していれば、セレクタ１５２５は、上限リミッタ１５２３からの出力を、サンプル値系列ＲＳＬＩＭとして高域強調ブロック１５３へ出力する。同様に、サンプル値の符号ビットが負（−）を示していれば、セレクタ１５２５は、下限リミッタ１５２４からの出力を、サンプル値系列ＲＳＬＩＭとして高域強調ブロック１５３へ出力する。【００８９】
高域強調ブロック１５３においては、サンプル値系列ＲＳＬＩＭ中における最もランレングスが短い記録データ（例えば、光ディスク１００がＤＶＤであればランレングス３Ｔの記録データであり、光ディスク１００がＢｌｕ−ｒａｙ  Ｄｉｓｃであればランレングス２Ｔの記録データ）に対応するサンプル値系列ＲＳＬＩＭのみ、その信号レベルを増大させる。【００９０】
具体的には、高域強調ブロック１５３へ入力されるサンプル値系列ＲＳＬＩＭは、そのまま又は１クロックの遅延を付加する遅延器１５３２、１５３３及び１５３４を介して、乗算係数−ｋを有する係数乗算器１５３５及び１５３８、並びに乗算係数ｋを有する係数乗算器１５３６及び１５３７へ入力される。係数乗算器１５３６、１５３６、１５３７及び１５３８の出力は、加算器１５３９において加算される。その加算結果である高域読取サンプル値ＲＳＨＩＧは、加算器１５３１において、３クロックの遅延を付加する遅延器１５３０を介して加算器１５３１に入力される読取サンプル値系列ＲＳＣと加算される。その結果、高域強調読取サンプル値系列ＲＳＨが得られる。【００９１】
ここで、図４を参照して、高域強調読取サンプル値系列ＲＳＨの取得動作についてより詳細に説明する。ここに、図４は、高域強調読取サンプル値系列ＲＳＨの取得動作を、サンプル値系列ＲＳＣ上で概念的に示す波形図である。【００９２】
図４（ａ）に示すように、加算器１５３１から出力される高域読取サンプル値ＲＳＨＩＧは、サンプル値系列ＲＳＬＩＭ中における時点Ｄ（−１．５）、Ｄ（−０．５）、Ｄ（０．５）及びＤ（１．５）の夫々でのサンプル値に基づいて算出される。具体的には、サンプル値系列ＲＳＬＩＭ中における時点Ｄ（−１．５）、Ｄ（−０．５）、Ｄ（０．５）及びＤ（１．５）の夫々でのサンプル値を、Ｓｉｐ（−１）、Ｓｉｐ（０）、Ｓｉｐ（１）及びＳｉｐ（２）とすると、ＲＳＨＩＧ＝（−ｋ）×Ｓｉｐ（−１）＋ｋ×Ｓｉｐ（０）＋ｋ×Ｓｉｐ（１）＋（−ｋ）×Ｓｉｐ（２）となる。【００９３】
このとき、図４（ｂ）に示すように、ランレングス２Ｔの記録データに対応する時点Ｄ（−１．５）及びＤ（−０．５）におけるサンプル値Ｓｉｐ（−１）及びＳｉｐ（０）は、互いに略同一となる。また、ランレングス２Ｔの記録データに対応する時点Ｄ（０．５）及びＤ（１．５）におけるサンプル値Ｓｉｐ（１）及びＳｉｐ（２）は、互いに略同一となる。【００９４】
また、図４（ｃ）に示すように、ランレングス３Ｔ及び４Ｔの夫々の記録データに対応する時点Ｄ（−１．５）及びＤ（−０．５）におけるサンプル値Ｓｉｐ（−１）及びＳｉｐ（０）は、振幅制限ブロック１５２による振幅制限により、共に振幅制限値の上限Ｌ１となる。同様に、ランレングス３Ｔ及び４Ｔの夫々の記録データに対応する時点Ｄ（０．５）及びＤ（１．５）におけるサンプル値Ｓｉｐ（１）及びＳｉｐ（２）は、振幅制限ブロック１５２による振幅制限により、共に振幅制限値の下限Ｌ２となる。つまり、リファレンスサンプル点前後のサンプル値のばらつきが強制的に抑制される。【００９５】
このため、高域強調を強くかけるために、係数乗算器１５３６、１５３６、１５３７及び１５３８の係数ｋの値を大きくしても、リファレンスサンプル時点Ｄ（０）において得られる高域読取サンプル値ＲＳＨＩＧは一定値に維持される。従って、符号間干渉は生じない。【００９６】
以上説明したように、第１実施例に係る情報再生装置１によれば、高域強調した際に、符号間干渉が生ずる原因となるところの読取信号中におけるリファレンスサンプル点前後のサンプル値のばらつきが強制的に抑えられる。このため、高域強調ブロック１５３において十分な高域強調を行っても符号間干渉が生ずることはない。【００９７】
特に、第１実施例に係る情報再生装置１によれば、振幅制限値の上限Ｌ１及び下限Ｌ１の夫々を個別に設定することができる。このため、例えば読取信号ＲＲＦにアシンメトリが生じた場合であっても、該アシンメトリの影響を考慮して振幅制限値の上限Ｌ１及び下限Ｌ２の夫々を個別に設定することができる。これにより、アシンメトリが発生していることに起因して、振幅制限値の上限Ｌ１又は下限Ｌ２が、読取信号ＲＲＦの振幅レベルに対して過度に大きく又は小さくなってしまうという不都合を好適に防止することができる。このため、このような不都合が生じえる可能性を排除して、読取信号ＲＲＦの高域強調を好適に行うことができる。もちろん、β値がゼロでない場合や、波形歪みが発生している場合においても、同様の効果を享受することができる。【００９８】
このような効果について、図５及び図６を参照してより詳細に説明する。ここに、図５は、アシンメトリが発生している場合における、サンプル値系列ＲＳＣ並びに振幅制限値の上限Ｌ１及び下限Ｌ２を概念的に示す波形図であり、図６は、アシンメトリ対ジッタ値の相関関係を概念的に示すグラフである。【００９９】
図５（ａ）に示すように、読取信号ＲＲＦにアシンメトリが発生しているとする。ここで、図５（ａ）に示すように、振幅制限値の上限Ｌ１及び下限Ｌ２を、リファレンスレベル（又は、ゼロレベル）を基準として上下対称となるように設定した（つまり、上述した背景技術に開示された手法で設定した）とする。この場合、振幅制限値の上限Ｌ１側のサンプル値の値が相対的に大きいことに起因して、振幅制限値の下限Ｌ２の絶対値が大きくなってしまう。このため、時点Ｄ（０．５）におけるサンプル値Ｓｉｐ（１）は、振幅制限がかからない。これでは、時点Ｄ（０．５）におけるサンプル値Ｓｉｐ（１）と、時点（Ｄ１．５）におけるサンプル値Ｓｉｐ（２）とが同一の値とはならず、その結果、符合間干渉が発生してしまう。【０１００】
他方で、第１実施例の如く、振幅制限値の上限Ｌ１及び下限Ｌ２を個別に設定すれば、振幅制限値の上限Ｌ１側のサンプル値の値が相対的に大きかったとしても、振幅制限値の下限Ｌ２側のサンプル値の値によって、振幅制限値の下限Ｌ２が設定されるため、振幅制限値の下限Ｌ２の絶対値が大きくなる不都合は生じない。このため、図５（ｂ）に示すように、時点Ｄ（０．５）におけるサンプル値Ｓｉｐ（１）と、時点（Ｄ１．５）におけるサンプル値Ｓｉｐ（２）との夫々に振幅制限がかかって、夫々のサンプル値Ｓｉｐ（１）及びＳｉｐ（２）が下限Ｌ２となる。このため、時点Ｄ（０．５）におけるサンプル値Ｓｉｐ（１）と、時点（Ｄ１．５）におけるサンプル値Ｓｉｐ（２）とが同一となり、その結果、符合間干渉は発生しない。【０１０１】
このような第１実施例に係る情報再生装置１の効果は、ジッタ値からも分かる。図６に示すように、振幅制限値の上限Ｌ１及び下限Ｌ２を個別に設定した場合（つまり、振幅制限値の上限Ｌ１及び下限Ｌ２を、リファレンスレベル（又は、ゼロレベル）を基準として上下非対称となるように設定した場合）には、振幅制限値の上限Ｌ１及び下限Ｌ２を、リファレンスレベル（又は、ゼロレベル）を基準として上下対称となるように設定した場合と比較して、ジッタが改善されていることが分かる。これは、符号間干渉が発生しない又はそれほど発生していないことを示している。【０１０２】
このように、第１実施例に係る情報再生装置１によれば、上述した背景技術に開示された技術（つまり、振幅制限値の上限Ｌ１及び下限Ｌ２を、リファレンスレベル（又は、ゼロレベル）を基準として上下対称となるように設定する技術）と比較しても、高域強調をより好適に行うことができる。【０１０３】
（２）  第２実施例
続いて、図７から図２６を参照して、本発明の情報再生装置に係る第２実施例について説明する。【０１０４】
（２−１）基本構成
初めに、図７を参照して、本発明の情報再生装置に係る第２実施例の基本構成について説明する。ここに、図７は、第２実施例に係る情報再生装置の基本構成を概念的に示すブロック図である。尚、上述した第１実施例に係る情報再生装置１と同様の構成については、同一の参照符号を付してその詳細な説明については省略する。【０１０５】
図７に示すように、第２実施例に係る情報再生装置２は、スピンドルモータ１０と、ピックアップ（ＰＵ：Pick Up）１１と、ＨＰＦ（High Pass Filter）１２と、Ａ／Ｄ変換器１３と、プリイコライザ（Pre Equalizer）１４と、リミットイコライザ（Limit Equalizer）２５と、２値化回路１６と、復号回路１７とを備えている。【０１０６】
つまり、第２実施例に係る情報再生装置２は、第１実施例に係る情報再生装置１と比較して、リミットイコライザ２５の構成が異なっている。より具体的には、第２実施例に係る情報再生装置２においては、振幅制限値設定ブロック１５１において設定された上限Ｌ１及び下限Ｌ２に対して、オフセット調整を行うことができる。以下、オフセット調整に関する構成について、より詳細に説明する。【０１０７】
続いて、図８を参照して、リミットイコライザ２５のより詳細な構成について説明する。ここに、図８は、リミットイコライザ２５の構成を概念的に示すブロック図である。【０１０８】
図８に示すように、リミットイコライザ２５は、振幅制限値設定ブロック１５１と、振幅制限ブロック１５２と、高域強調ブロック１５３と本発明における「振幅制限手段」の一具体例を構成するオフセット算出ブロック１５４を備えている。【０１０９】
オフセット算出ブロック１５４は、読取サンプル値系列ＲＳＣに基づいて、振幅制限値設定ブロック１５１において設定された上限Ｌ１に加算されるオフセット値ＯＦＳ１を算出する。上限リミッタ１５２３は、オフセット生成ブロック１５４において算出されたオフセット値ＯＦＳ１を振幅制限値設定ブロック１５１において設定された上限Ｌ１に加算することで得られる新たな上限Ｌ１を用いて、読取サンプル値系列ＲＳＰに対する振幅制限を行う。【０１１０】
同様に、オフセット算出ブロック１５４は、読取サンプル値系列ＲＳＣに基づいて、振幅制限値設定ブロック１５１において設定された下限Ｌ２に加算されるオフセット値ＯＦＳ２を算出する。下限リミッタ１５２４は、オフセット生成ブロック１５４において算出されたオフセット値ＯＦＳ２を振幅制限値設定ブロック１５１において設定された下限Ｌ２に加算することで得られる新たな下限Ｌ２を用いて、読取サンプル値系列ＲＳＰに対する振幅制限を行う。【０１１１】
尚、オフセット値ＯＦＳ１及びＯＦＳ２の算出動作については、様々な態様が考えられる。以下に、オフセット値ＯＦＳ１及びＯＦＳ２の算出動作のうち、いくつかの態様を一例として例示する。【０１１２】
（２−２）β値に基づくオフセット値ＯＦＳ１及びＯＦＳ２の算出
初めに、図９から図１２を参照して、β値に基づくオフセット値ＯＦＳ１及びＯＦＳ２の算出動作について説明する。ここに、図９は、β値を概念的に示す波形図であり、図１０は、β値に基づくオフセット値ＯＦＳ１及びＯＦＳ２を算出するオフセット算出ブロック１５４ａの構成を概念的に示すブロック図であり、図１１は、β値に基づくオフセット値ＯＦＳ１及びＯＦＳ２を算出する場合の、第２実施例に係る情報再生装置２の一の動作の流れを概念的に示すフローチャートであり、図１２は、β値に基づくオフセット値ＯＦＳ１及びＯＦＳ２を算出する場合の、第２実施例に係る情報再生装置２の他の動作の流れを概念的に示すフローチャートである。【０１１３】
図９に示すように、β値は、全ての種類のランレングスの記録データ（例えば、光ディスク１００がＤＶＤであればランレングス３Ｔから１１Ｔ及び１４Ｔの夫々の記録データであり、光ディスク１００がＢｌｕ−ｒａｙ  Ｄｉｓｃであればランレングス２Ｔから９Ｔの記録データ）に対応する夫々の読取信号ＲＲＦの振幅中心の平均位置を示す。具体的には、全ての種類のランレングスの記録データに対応する読取信号ＲＲＦの振幅中心（つまり、全Ｔセンターレベル）を基準とする（つまり、原点又は基点とする）上側（正側）の最大振幅（トップ振幅）の大きさをＡ１とし、全ての種類のランレングスの記録データに対応する読取信号ＲＲＦの振幅中心を基準とする下側（負側）の最大振幅（ボトム振幅）の大きさをＡ２とすると、β＝（Ａ１＋Ａ２）／（Ａ１−Ａ２）にて示される。つまり、ここで説明するβ値は、本発明における「全体β値」の一具体例である。【０１１４】
図１０に示すように、オフセット算出ブロック１５４ａは、Ｔｍｉｎ＋４トップ振幅検出回路１５４１ａと、Ｔｍｉｎ＋４ボトム振幅検出回路１５４２ａと、加算器１５４３ａと、増幅器１５４４ａとを備えている。Ｔｍｉｎ＋４トップ振幅検出回路１５４１ａにおいて検出されるトップ振幅と、Ｔｍｉｎ＋４ボトム振幅検出回路１５４２ａにおいて検出されるボトム振幅との和が、加算器１５４３ａにおいて加算される。加算器１５４３ａの出力が全振幅で正規化されないβ値となる。そして、増幅器１５４４ａにおいて２倍に増幅されたβ値（つまり、２β）が、実際に上限リミッタ１５２３及び下限リミッタ１５２４へ出力されるオフセット値ＯＦＳ１又はＯＦＳ２となる。【０１１５】
尚、Ｔｍｉｎは、ランレングスが最も短い記録データに対応する読取信号ＲＲＦ（より具体的には、該読取信号ＲＲＦに対応する読取サンプル値系列ＲＳＣ）を示している。従って、Ｔｍｉｎ＋４は、ランレングスが５番目に短い記録データに対応する読取信号ＲＲＦを示している。例えば、光ディスク１００がＤＶＤであれば、Ｔｍｉｎ＋４は、ランレングスが７Ｔの記録データに対応する読取信号ＲＲＦを示している。例えば、光ディスク１００がＢｌｕ−ｒａｙ  Ｄｉｓｃであれば、Ｔｍｉｎ＋４は、ランレングスが６Ｔの記録データに対応する読取信号ＲＲＦを示している。【０１１６】
但し、ここでは、全てのランレングスを簡略的に示すために（つまり、計算の便宜のために）Ｔｍｉｎ＋４を用いている。このため、全てのＴに対して同様の処理（つまり、トップ振幅とボトム振幅との和の算出処理）を行い、それらの平均値をβ値としてもよいことは言うまでもない。【０１１７】
このようにして算出されるオフセット値ＯＦＳ１及びＯＦＳ２は、再生動作中に随時加算されてもよい。具体的には、図１１に示すように、再生動作が行われている際に（ステップＳ１０１）、適宜再生動作を終了するか否かが判定される（ステップＳ１０２）。【０１１８】
ステップＳ１０２における判定の結果、再生動作を終了すると判定された場合には（ステップＳ１０２：Ｙｅｓ）、そのまま再生動作を終了する。【０１１９】
他方、ステップＳ１０２における判定の結果、再生動作を終了しないと判定された場合には（ステップＳ１０２：Ｎｏ）、続いて、１データブロックの再生が新たに開始されるか否かが判定される（ステップＳ１０３）。【０１２０】
ステップＳ１０３における判定の結果、１データブロックの再生が新たに開始されない（つまり、それまでのデータブロックの再生を継続する）と判定された場合には（ステップＳ１０３：Ｎｏ）、ステップＳ１０１へ戻り、再生動作を継続する。【０１２１】
他方、ステップＳ１０３における判定の結果、１データブロックの再生が新たに開始されると判定された場合には（ステップＳ１０３：Ｙｅｓ）、続いて、オフセット算出ブロック１５４ａの動作によりβ値が算出される（ステップＳ１０４）。その後、β値が０であるか、β値が正の値であるか、又はβ値が負の値であるか否かが判定される（ステップＳ１０５）。【０１２２】
ステップＳ１０５における判定の結果、β値が０であると判定された場合には、ＯＦＳ１及びＯＦＳ２はゼロとなる。従って、オフセット値ＯＦＳ１及びＯＦＳ２の加算を行うことなく、ステップＳ１０１へ戻り、再生動作を継続する。【０１２３】
ステップＳ１０５における判定の結果、β値が正の値であると判定された場合には、ＯＦＳ１が２βに設定され、ＯＦＳ２はゼロに設定される（ステップＳ１０６）。従って、オフセット値ＯＦＳ１をそれまで用いていた上限Ｌ１に加算することで得られる上限Ｌ１を用いて、再生動作を継続する。【０１２４】
ステップＳ１０５における判定の結果、β値が負の値であると判定された場合には、ＯＦＳ２が２βに設定され、ＯＦＳ１はゼロに設定される（ステップＳ１０７）。従って、オフセット値ＯＦＳ２をそれまで用いていた下限Ｌ２に加算することで得られる下限Ｌ２を用いて、再生動作を継続する。【０１２５】
或いは、オフセット値ＯＦＳ１及びＯＦＳ２は、再生動作中に再生エラーが生じた場合に加算されてもよい。具体的には、図１２に示すように、再生動作が行われている際に（ステップＳ１０１）、適宜再生動作を終了するか否かが判定される（ステップＳ１０２）。【０１２６】
ステップＳ１０２における判定の結果、再生動作を終了すると判定された場合には（ステップＳ１０２：Ｙｅｓ）、そのまま再生動作を終了する。【０１２７】
他方、ステップＳ１０２における判定の結果、再生動作を終了しないと判定された場合には（ステップＳ１０２：Ｎｏ）、続いて、ＳＥＲ（Symbol Error Rate）の値が正常であるか否かが判定される（ステップＳ１１１）。【０１２８】
ステップＳ１１１における判定の結果、ＳＥＲの値が正常であると判定された場合には（ステップＳ１１１：Ｙｅｓ）、ステップＳ１０１へ戻り、再生動作を継続する。【０１２９】
他方、ステップＳ１１１における判定の結果、ＳＥＲの値が正常でないと判定された場合には（ステップＳ１１１：Ｎｏ）、続いて、オフセット算出ブロック１５４ａの動作によりβ値が算出される（ステップＳ１０４）。その後、β値が０であるか、β値が正の値であるか、又はβ値が負の値であるか否かが判定される（ステップＳ１０５）。以降の動作は、図１１に示した例と同一である。【０１３０】
このように、β値に応じたオフセット値ＯＦＳ１及びＯＦＳ２を上限Ｌ１及び下限Ｌ２に加算することで得られる新たな上限Ｌ１及び下限Ｌ２を用いることで、β値による影響（つまり、振幅中心のずれによる影響を）を排除しながら上述した各種効果を享受することができる。【０１３１】
尚、β値がゼロでない場合には、図１１及び図１２のステップＳ１０６及びステップＳ１０７におけるオフセット値ＯＦＳ１及びＯＦＳ２の算出動作に代えて、上限Ｌ１と下限Ｌ２との和が、β値がゼロであると仮定した場合における上限Ｌ１と下限Ｌ２との和と等しくなるように、上限Ｌ１及び下限Ｌ２を設定するように構成してもよい。【０１３２】
また、図９に示すβ値とは異なる視点から求められる別のβ値に基づいて、オフセット値ＯＦＳ１及びＯＦＳ２を算出するように構成してもよい。係る構成について、図１３及び図１４を参照して説明する。ここに、図１３は、別のβ値を概念的に示す波形図であり、図１４は、別のβ値を算出するオフセット算出ブロック１５４ｂの構成を概念的に示すブロック図である。【０１３３】
図１３に示すように、別のβ値は、ランレングスが最も短い記録データに対応する読取信号ＲＦの振幅中心と、ランレングスが２番目に短い記録データに対応する読取信号ＲＦの振幅中心とのずれを示す。具体的には、ランレングスが最も短い記録データに対応する読取信号の振幅中心をＩｍｉｎＣｎｔとし、ＩｍｉｎＣｎｔを基準とするランレングスが２番目に短い記録データに対応する読取信号ＲＲＦのトップ振幅の大きさをＩｍｉｎ＋１Ｈとし、ＩｍｉｎＣｎｔを基準とするランレングスが２番目に短い記録データに対応する読取信号ＲＲＦのボトム振幅の大きさをＩｍｉｎ＋１Ｌとすると、別のβ値＝（Ｉｍｉｎ＋１Ｈ＋Ｉｍｉｎ＋１Ｌ）／（Ｉｍｉｎ＋１Ｈ−Ｉｍｉｎ＋１Ｌ）にて示される。つまり、ここで説明するβ値は、本発明における「部分β値」の一具体例である。尚、ＩｍｉｎＣｎｔは、ランレングスが最も短い記録データに対応する読取信号ＲＲＦのトップ振幅値ＩｍｉｎＨとボトム振幅値ＩｍｉｎＬとの平均値である。【０１３４】
図１４に示すように、オフセット算出ブロック１５４ｂは、Ｔｍｉｎトップ振幅検出回路１５４１ｂと、Ｔｍｉｎボトム振幅検出回路１５４２ｂと、Ｔｍｉｎ＋１トップ振幅検出回路１５４３ｂと、Ｔｍｉｎ＋１ボトム振幅検出回路１５４４ｂと、加算器１５４５ｂ及び１５４６ｂと、減算器１５４７ｂと、増幅器１５４８ｂと、増幅器１５４９ｂとを備えている。Ｔｍｉｎトップ振幅検出回路１５４１ｂにおいて検出されるトップ振幅及びＴｍｉｎボトム振幅検出回路１５４２ｂにおいて検出されるボトム振幅の和が増幅器１５４８ｂにおいて１／２に増幅された値と、Ｔｍｉｎ＋１トップ振幅検出回路１５４３ｂにおいて検出されるトップ振幅及びＴｍｉｎ＋１ボトム振幅検出回路１５４４ｂにおいて検出されるボトム振幅の和との差分が、差分器１５４７ｂにおいて算出される。差分器１５４７ｂの出力がＴｍｉｎ＋１の振幅で正規化されない別のβ値となる。そして、増幅器１５４９ｂにおいて２倍に増幅された別のβ値（つまり、２β）が、実際に上限リミッタ１５２３及び下限リミッタ１５２４へ出力されるオフセット値ＯＦＳ１又はＯＦＳ２となる。【０１３５】
尚、別のβ値を直接的に用いて、振幅制限値の上限Ｌ１及び下限Ｌ２を設定するように構成してもよい。具体的には、第１実施例の動作により算出される（つまり、サンプル値の平均値である）上限Ｌ１及び下限Ｌ２に対して、上限Ｌ１の絶対値が下限Ｌ２の絶対値よりも小さければ、上限Ｌ１の絶対値に２βを加算した値であって更に符号を反転させた値を新たな下限Ｌ１としてもよい。同様に、第１実施例の動作により算出される上限Ｌ１及び下限Ｌ２について、下限Ｌ２の絶対値が上限Ｌ１の絶対値よりも小さければ、下限Ｌ２の絶対値に２βを加算した値であって更に符号を反転させた値を新たな上限Ｌ１としてもよい。【０１３６】
（２−３）アシンメトリ値に基づくオフセット値ＯＦＳ１及びＯＦＳ２の算出
続いて、図１５から図１８を参照して、アシンメトリ値に基づくオフセット値ＯＦＳ１及びＯＦＳ２の算出動作について説明する。ここに、図１５は、アシンメトリ値を概念的に示す波形図であり、図１６は、アシンメトリ値に基づくオフセット値ＯＦＳ１及びＯＦＳ２を算出するオフセット算出ブロック１５４ｃの構成を概念的に示すブロック図であり、図１７は、アシンメトリ値に基づくオフセット値ＯＦＳ１及びＯＦＳ２を算出する場合の、第２実施例に係る情報再生装置２の一の動作の流れを概念的に示すフローチャートであり、図１８は、アシンメトリ値に基づくオフセット値ＯＦＳ１及びＯＦＳ２を算出する場合の、第２実施例に係る情報再生装置２の他の動作の流れを概念的に示すフローチャートである。【０１３７】
図１５に示すように、アシンメトリ値は、ランレングスが最も長い記録データに対応する読取信号ＲＲＦの振幅中心に対する、ランレングスが最も短い記録データに対応する読取信号の振幅中心のずれを示す。具体的には、ランレングスが最も長い記録データに対応する読取信号ＲＲＦの振幅中心をＩｍａｘＣｎｔとし、ＩｍａｘＣｎｔを基準とするランレングスが最も長い記録データに対応する読取信号ＲＲＦのトップ振幅の大きさをＩｍａｘＨとし、ＩｍａｘＣｎｔを基準とするランレングスが最も長い記録データに対応する読取信号ＲＲＦのボトム振幅の大きさをＩｍａｘＬとし、ＩｍａｘＣｎｔを基準とするランレングスが最も短い記録データに対応する読取信号ＲＲＦのトップ振幅の大きさをＩｍｉｎＨとし、ＩｍａｘＣｎｔを基準とするランレングスが最も短い記録データに対応する読取信号ＲＲＦのボトム振幅の大きさをＩｍｉｎＬとすると、アシンメトリ値Ａｓｙ＝（（ＩｍａｘＨ＋ＩｍａｘＬ）−（ＩｍｉｎＨ＋ＩｍｉｎＬ））／（２×（ＩｍａｘＨ＋ＩｍａｘＬ））にて示される。尚、ＩｍａｘＣｎｔは、ランレングスが最も長い記録データに対応する読取信号ＲＲＦのトップ振幅値とボトム振幅値との平均値である。【０１３８】
図１６に示すように、オフセット算出ブロック１５４ｃは、Ｔｍａｘトップ振幅検出回路１５４１ｃと、Ｔｍａｘボトム振幅検出回路１５４２ｃと、Ｔｍｉｎトップ振幅検出回路１５４３ｃと、Ｔｍｉｎボトム振幅検出回路１５４４ｃと、加算器１５４５ｃ及び１５４６ｃと、減算器１５４７ｃと、増幅器１５４８ｃと、増幅器１５４９ｃとを備えている。Ｔｍａｘトップ振幅検出回路１５４１ｃにおいて検出されるトップ振幅及びＴｍａｘボトム振幅検出回路１５４２ｃにおいて検出されるボトム振幅との和と、Ｔｍｉｎトップ振幅検出回路１５４３ｃにおいて検出されるトップ振幅及びＴｍｉｎボトム振幅検出回路１５４４ｃにおいて検出されるボトム振幅との和との差分が、差分器１５４７ｃにおいて算出される共に、差分器１５４７ｃの出力が増幅器１５４８ｃにおいて１／２にされる。増幅器１５４８ｃの出力がアシンメトリ値Ａｓｙとなる。そして、実際に上限リミッタ１５２３及び下限リミッタ１５２４へ出力されるオフセット値ＯＦＳ１又はＯＦＳ２は、増幅器１５４９ｃにおいて２倍に増幅されたアシンメトリ値Ａｓｙ（つまり、２Ａｓｙ）となる。【０１３９】
尚、Ｔｍａｘは、ランレングスが最も長い記録データに対応する読取信号ＲＲＦ（より具体的には、該読取信号ＲＲＦに対応する読取サンプル値系列ＲＳＣ）を示している。例えば、光ディスク１００がＤＶＤであれば、Ｔｍａｘは、ランレングスが１１Ｔの記録データに対応する読取信号ＲＲＦを示している。例えば、光ディスク１００がＢｌｕ−ｒａｙ  Ｄｉｓｃであれば、Ｔｍａｘは、ランレングスが８Ｔの記録データに対応する読取信号ＲＲＦを示している。【０１４０】
このようにして算出されるオフセット値ＯＦＳ１及びＯＦＳ２は、再生動作中に随時加算されてもよい。具体的には、図１７に示すように、再生動作が行われている際に（ステップＳ１０１）、適宜再生動作を終了するか否かが判定される（ステップＳ１０２）。【０１４１】
ステップＳ１０２における判定の結果、再生動作を終了すると判定された場合には（ステップＳ１０２：Ｙｅｓ）、そのまま再生動作を終了する。【０１４２】
他方、ステップＳ１０２における判定の結果、再生動作を終了しないと判定された場合には（ステップＳ１０２：Ｎｏ）、続いて、１データブロックの再生が新たに開始されるか否かが判定される（ステップＳ１０３）。【０１４３】
ステップＳ１０３における判定の結果、１データブロックの再生が新たに開始されない（つまり、それまでのデータブロックの再生を継続する）と判定された場合には（ステップＳ１０３：Ｎｏ）、ステップＳ１０１へ戻り、再生動作を継続する。【０１４４】
他方、ステップＳ１０３における判定の結果、１データブロックの再生が新たに開始されると判定された場合には（ステップＳ１０３：Ｙｅｓ）、続いて、オフセット算出ブロック１５４ｃの動作によりアシンメトリ値Ａｓｙが算出される（ステップＳ１２１）。その後、アシンメトリ値Ａｓｙが０であるか、アシンメトリ値Ａｓｙが正の値であるか、又はアシンメトリ値Ａｓｙが負の値であるか否かが判定される（ステップＳ１２２）。【０１４５】
ステップＳ１２２における判定の結果、アシンメトリ値Ａｓｙが０であると判定された場合には、ＯＦＳ１及びＯＦＳ２はゼロとなる。従って、オフセット値ＯＦＳ１及びＯＦＳ２の加算を行うことなく、ステップＳ１０１へ戻り、再生動作を継続する。【０１４６】
ステップＳ１２２における判定の結果、アシンメトリ値Ａｓｙが正の値であると判定された場合には、ＯＦＳ１が２Ａｓｙに設定され、ＯＦＳ２はゼロに設定される（ステップＳ１２３）。従って、オフセット値ＯＦＳ１をそれまで用いていた上限Ｌ１に加算することで得られる上限Ｌ１を用いて、再生動作を継続する。【０１４７】
ステップＳ１２２における判定の結果、アシンメトリ値Ａｓｙが負の値であると判定された場合には、ＯＦＳ２が２Ａｓｙに設定され、ＯＦＳ１はゼロに設定される（ステップＳ１２４）。従って、オフセット値ＯＦＳ２をそれまで用いていた下限Ｌ２に加算することで得られる下限Ｌ２を用いて、再生動作を継続する。【０１４８】
或いは、オフセット値ＯＦＳ１及びＯＦＳ２は、再生動作中に再生エラーが生じた場合に加算されてもよい。具体的には、図１８に示すように、再生動作が行われている際に（ステップＳ１０１）、適宜再生動作を終了するか否かが判定される（ステップＳ１０２）。【０１４９】
ステップＳ１０２における判定の結果、再生動作を終了すると判定された場合には（ステップＳ１０２：Ｙｅｓ）、そのまま再生動作を終了する。【０１５０】
他方、ステップＳ１０２における判定の結果、再生動作を終了しないと判定された場合には（ステップＳ１０２：Ｎｏ）、続いて、ＳＥＲ（Symbol Error Rate）の値が正常であるか否かが判定される（ステップＳ１１１）。【０１５１】
ステップＳ１１１における判定の結果、ＳＥＲの値が正常であると判定された場合には（ステップＳ１１１：Ｙｅｓ）、ステップＳ１０１へ戻り、再生動作を継続する。【０１５２】
他方、ステップＳ１１１における判定の結果、ＳＥＲの値が正常でないと判定された場合には（ステップＳ１１１：Ｎｏ）、続いて、オフセット算出ブロック１５４ｃの動作によりアシンメトリ値Ａｓｙが算出される（ステップＳ１２１）。その後、アシンメトリ値Ａｓｙが０であるか、アシンメトリ値Ａｓｙが正の値であるか、又はアシンメトリ値Ａｓｙが負の値であるか否かが判定される（ステップＳ１２２）。以降の動作は、図１５に示した例と同一である。【０１５３】
このように、アシンメトリ値Ａｓｙに応じたオフセット値ＯＦＳ１及びＯＦＳ２を上限Ｌ１及び下限Ｌ２に加算することで得られる新たな上限Ｌ１及び下限Ｌ２を用いることで、アシンメトリによる影響（つまり、振幅中心のずれによる影響を）を排除しながら上述した各種効果を享受することができる。【０１５４】
（２−４）波形歪み量に基づくオフセット値ＯＦＳ１及びＯＦＳ２の算出
続いて、図１９から図２３を参照して、波形歪み量に基づくオフセット値ＯＦＳ１及びＯＦＳ２の算出動作について説明する。ここに、図１９は、波形歪みを概念的に示す波形図であり、図２０は、波形歪み量に基づくオフセット値ＯＦＳ１及びＯＦＳ２を算出するオフセット算出ブロック１５４ｄの構成を概念的に示すブロック図であり、図２１は、他の波形歪みを概念的に示す波形図であり、図２２は、波形歪み量に基づくオフセット値ＯＦＳ１及びＯＦＳ２を算出する場合の、第２実施例に係る情報再生装置２の一の動作の流れを概念的に示すフローチャートであり、図２３は、波形歪み量に基づくオフセット値ＯＦＳ１及びＯＦＳ２を算出する場合の、第２実施例に係る情報再生装置２の他の動作の流れを概念的に示すフローチャートである。【０１５５】
図１９（ａ）に示すように、波形歪みは、本来とるべき信号レベルと実際に読取信号ＲＲＦに現れた信号レベルとの差を示す。この波形歪みは、読取信号ＲＲＦの最大振幅Ａに対する歪み量Ｄ及びリファレンスレベルから波形歪みの頂点までの信号レベルである歪み量Ｄ’で定量的に定義される。図１９（ａ）において、太い点線は、波形歪みが発生していないときに本来とるべき信号レベルを示している。波形歪みが発生していない場合には、当然に波形歪み量Ｄはゼロである。【０１５６】
尚、図１９（ａ）に示す波形歪みは、読取信号ＲＲＦの前端部及び後端部の信号レベルと比較して、中間部の信号レベルが変化してしまった波形歪みを示している。このような波形歪み以外にも、図１９（ｂ）に示すように、読取信号ＲＲＦの後端部の信号レベルと比較して、前端部及び中間部の信号レベルが変化してしまった波形歪みや、図１９（ｃ）に示すように、読取信号ＲＲＦの前端部の信号レベルと比較して、中間部及び後端部の信号レベルが変化してしまった波形歪みも存在しえる。いずれの波形歪みを対象としていても、後述する構成及び動作を採用することができることは言うまでもない。【０１５７】
また、本実施例においては、ランレングスが相対的に長い記録マーク（例えば、光ディスク１００がＤＶＤであればランレングス１１Ｔの記録データであり、光ディスク１００がＢｌｕ−ｒａｙ  Ｄｉｓｃであればランレングス８Ｔの記録データ）に対応する読取信号に発生する波形歪みに着目することが好ましい。【０１５８】
図２０に示すように、オフセット算出ブロック１５４ｄは、リファレンスサンプルタイミング検出回路１５４１ｄと、Ｔｍａｘ検出回路１５４２ｄと、２クロックの遅延を付与する遅延回路１５４３ｄと、夫々が１クロックの遅延を付与する複数の遅延回路１５４４ｄと、最大値検出回路１５４５ｄと、サンプルホールド回路１５４６ｄと、リミッタ１５４７ｄとを備える。【０１５９】
オフセット算出ブロック１５４ｄに入力される読取サンプル値系列ＲＳＣは、リファレンスサンプルタイミング検出回路１５４１ｄと、遅延回路１５４３ｄの夫々に出力される。リファレンスサンプルタイミング検出回路１５４１ｄにおいては、読取サンプル値系列ＲＳＣに基づいて、リファレンスサンプルタイミングが検出される。検出されたリファレンスサンプルタイミングは、Ｔｍａｘ検出回路１５４２ｄにおけるＴｍａｘの検出動作（具体的には、Ｔｍａｘに対応するサンプル値の検出動作）に用いられる。Ｔｍａｘ検出回路１５４２ｄにおいて検出されたＴｍａｘは、サンプルホールド回路１５４６ｄへ出力される。他方、遅延回路１５４３ｄにおいては、２クロックの遅延が読取サンプル値系列ＲＳＣに付与される。その後、読取サンプル値系列ＲＳＣは、遅延回路１５４４ｄの動作により、２クロックの遅延が付与される毎に最大値検出回路１５４５ｄへ出力される。つまり、最大値検出回路１５４５ｄへは、図１９において示す前端部の信号レベル、中間部の信号レベル及び後端部の夫々の信号レベルが出力される。従って、最大値検出回路１５４５ｄからは、前端部の信号レベル、中間部の信号レベル及び後端部の夫々の信号レベルのうち最大の信号レベル（つまり、図１９に示す‘波形歪み量Ｄ’）が出力される。その後、サンプルホールド回路１５４６ｄにおいて、Ｔｍａｘ検出回路１５４２ｄにおいて検出されたＴｍａｘが、最大値検出回路１５４５ｄの出力によりサンプルホールドされ、その結果、波形歪み量Ｄ’が取得される。この場合に取得された波形歪み量Ｄ’は、下限リミッタ１５２４へ出力されるオフセット値ＯＦＳ２を算出する際に用いられる。実際に下限リミッタ１５２４へ出力されるオフセット値ＯＦＳ２は、振幅制限値設定ブロック１５１から出力される振幅制限値の下限Ｌ２に応じたレベル制限をかけるリミッタ１５４７ｄにより、Ｄ’＞Ｌ２の場合は、Ｄ’−Ｌ２となり、Ｄ’≦Ｌ２の場合には０となる。【０１６０】
尚、ここでは、記録データを記録することによって、レーザ光ＬＢの反射率が減少する光ディスク１００を対象とした動作について説明した。つまり、リファレンスレベル以下の信号レベルにおいて、信号レベルが意図せず増加するような波形歪みが発生する場合を対象とした動作について説明した。しかしながら、記録データを記録することによって、レーザ光ＬＢの反射率が増加する光ディスク１００を対象としてもよい。つまり、図２１（ａ）から図２１（ｃ）に示すように、リファレンスレベル以上の信号レベルにおいて、信号レベルが意図せず減少するような波形歪みが発生する場合を対象としてもよい。この場合、図２０に示すオフセット算出ブロック１５４ｄ中の最大値検出回路１５４５ｄは、最小値検出回路１５４７ｄに置き換えられ、リミッタ１５４７ｄは、振幅制限値設定ブロック１５１から出力される振幅制限値の上限Ｌ１に応じたレベル制限をかける。また、この場合に取得された波形歪み量Ｄ’は、上限リミッタ１５２３へ出力されるオフセット値ＯＦＳ１を算出する際に用いられる。実際に上限リミッタ１５２３へ出力されるオフセット値ＯＦＳ１は、振幅制限値設定ブロック１５１から出力される振幅制限値の上限Ｌ１に応じたレベル制限をかけるリミッタ１５４７ｄにより、Ｄ’＜Ｌ１の場合は、Ｄ’−Ｌ１となり、Ｄ’≧Ｌ１の場合には０となる。【０１６１】
このようにして算出されるオフセット値ＯＦＳ１及びＯＦＳ２は、再生動作中に随時加算されてもよい。具体的には、図２２に示すように、再生動作が行われている際に（ステップＳ１０１）、適宜再生動作を終了するか否かが判定される（ステップＳ１０２）。【０１６２】
ステップＳ１０２における判定の結果、再生動作を終了すると判定された場合には（ステップＳ１０２：Ｙｅｓ）、そのまま再生動作を終了する。【０１６３】
他方、ステップＳ１０２における判定の結果、再生動作を終了しないと判定された場合には（ステップＳ１０２：Ｎｏ）、続いて、１データブロックの再生が新たに開始されるか否かが判定される（ステップＳ１０３）。【０１６４】
ステップＳ１０３における判定の結果、１データブロックの再生が新たに開始されない（つまり、それまでのデータブロックの再生を継続する）と判定された場合には（ステップＳ１０３：Ｎｏ）、ステップＳ１０１へ戻り、再生動作を継続する。【０１６５】
他方、ステップＳ１０３における判定の結果、１データブロックの再生が新たに開始されると判定された場合には（ステップＳ１０３：Ｙｅｓ）、続いて、オフセット算出ブロック１５４ｄの動作により波形歪み量Ｄが算出される（ステップＳ１３１）。その後、波形歪み量Ｄが０未満であり且つ下限Ｌ２より大きいか否かが判定される（ステップＳ１３２）。【０１６６】
ステップＳ１３２における判定の結果、波形歪み量Ｄが０未満でない又は波形歪み量Ｄが下限Ｌ２以下であると判定された場合には（ステップＳ１３２：Ｎｏ）、ＯＦＳ１及びＯＦＳ２はゼロとなる。従って、オフセット値ＯＦＳ１及びＯＦＳ２の加算を行うことなく、ステップＳ１０１へ戻り、再生動作を継続する。【０１６７】
他方、ステップＳ１３２における判定の結果、波形歪み量Ｄ’が０未満であり且つ下限Ｌ２より大きいと判定された場合には（ステップＳ１３２：Ｙｅｓ）、ＯＦＳ１がゼロに設定され、ＯＦＳ２はＤ’−Ｌ２に設定される（ステップＳ１３３）。従って、オフセット値ＯＦＳ２をそれまで用いていた下限Ｌ２に加算することで得られる下限Ｌ２を用いて、再生動作を継続する。【０１６８】
尚、ここでは、記録データを記録することによって、レーザ光ＬＢの反射率が減少する光ディスク１００を対象とした動作について説明した。しかしながら、記録データを記録することによって、レーザ光ＬＢの反射率が増加する光ディスク１００を対象としてもよい。この場合、ステップＳ１３２においては、波形歪み量Ｄ’が０より大きく且つ上限Ｌ１より小さいか否かが判定される。また、波形歪み量Ｄ’が０より大きく且つ上限Ｌ１より小さいか否かが判定された場合に行われるステップＳ１３３においては、ＯＦＳ１がＤ’−Ｌ１に設定され、ＯＦＳ２はゼロに設定される。【０１６９】
或いは、オフセット値ＯＦＳ１及びＯＦＳ２は、再生動作中に再生エラーが生じた場合に加算されてもよい。具体的には、図２３に示すように、再生動作が行われている際に（ステップＳ１０１）、適宜再生動作を終了するか否かが判定される（ステップＳ１０２）。【０１７０】
ステップＳ１０２における判定の結果、再生動作を終了すると判定された場合には（ステップＳ１０２：Ｙｅｓ）、そのまま再生動作を終了する。【０１７１】
他方、ステップＳ１０２における判定の結果、再生動作を終了しないと判定された場合には（ステップＳ１０２：Ｎｏ）、続いて、ＳＥＲ（Symbol Error Rate）の値が正常であるか否かが判定される（ステップＳ１１１）。【０１７２】
ステップＳ１１１における判定の結果、ＳＥＲの値が正常であると判定された場合には（ステップＳ１１１：Ｙｅｓ）、ステップＳ１０１へ戻り、再生動作を継続する。【０１７３】
他方、ステップＳ１１１における判定の結果、ＳＥＲの値が正常でないと判定された場合には（ステップＳ１１１：Ｎｏ）、続いて、オフセット算出ブロック１５４ｄの動作により波形歪み量Ｄ’が算出される（ステップＳ１３１）。その後、波形歪み量Ｄ’が０未満であり且つ下限Ｌ２より大きいか否かが判定される（ステップＳ１３２）。以降の動作は、図１５に示した例と同一である。【０１７４】
このように、波形歪み量Ｄ’に応じたオフセット値ＯＦＳ１及びＯＦＳ２を上限Ｌ１及び下限Ｌ２に加算することで得られる新たな上限Ｌ１及び下限Ｌ２を用いることで、波形歪みによる影響を排除しながら上述した各種効果を享受することができる。この波形歪みによる影響を排除する効果について、図２４及び図２５を参照しながら説明する。ここに、図２４は、振幅制限値の上限Ｌ１及び下限Ｌ２を背景技術の手法で設定した場合及び振幅制限値の上限Ｌ１及び下限Ｌ２を個別に設定した場合の夫々における高域強調読取サンプル値系列ＲＳＨの取得動作を、波形歪みが発生しているサンプル値系列ＲＳＣ上で概念的に示す波形図であり、図２５は、振幅制限値の上限Ｌ１又は下限Ｌ２と波形歪みとの位置関係に対するシンボルエラーレートの変化を示すグラフである。【０１７５】
図２４（ａ）に示すように、波形歪みが発生している場合には、波形歪みが振幅制限値の下限Ｌ２を上回る信号レベルと取りかねない。ここで、波形歪み量Ｄ’に応じたオフセット値ＯＦＳ２を加算することなく、上述した振幅制限ブロック１５２及び高域強調ブロック１５３による動作を行うとする。この場合、高域強調ブロック１５３から出力される高域強調読取サンプル値系列ＲＳＨは、高域強調読取サンプル値系列ＲＳＨＩＧとＳ（０）との和であり、ＲＳＨＩＧは、（−ｋ）×Ｓｉｐ（−１）＋ｋ×Ｓｉｐ（０）＋ｋ×Ｓｉｐ（１）＋（−ｋ）×Ｓｉｐ（２）にて示されることは前述した。ここで、Ｓｉｐ（−１）とＳｉｐ（２）は、下限Ｌ２に抑制されるため、ＲＳＨ＝Ｓ（０）＋ｋ×（−２×Ｌ２＋Ｓｉｐ（０）＋Ｓｉｐ（１））となる。これでは、下限Ｌ２とＳｉｐ（０）とＳｉｐ（１）の和をＫ倍した値だけ、高域強調読取サンプル値系列ＲＳＨの値が大きくなってしまう。これは、本来発生するべきでない波形歪みを強調してしまっているため好ましくない。【０１７６】
他方、図２４（ｂ）に示すように、波形歪み量Ｄ’に応じたオフセット値ＯＦＳ２を加算して、上述した振幅制限ブロック１５２及び高域強調ブロック１５３による動作を行うとする。この場合、新たな下限Ｌ２は、それまで用いていた下限Ｌ２（ここでは、分かりやくすＬ２’にて示す）に、ＯＦＳ２＝Ｄ’−Ｌ２’を加算した値となる。従って、新たな下限Ｌ２は、Ｄ’となる。つまり、新たな下限Ｌ２は、波形歪みに相当する波形と交差することがなくなる。つまり、オフセット値ＯＦＳ２の加算は、下限Ｌ２が波形歪みと交差しないことを目的として行われる。このため、Ｓｉｐ（−１）とＳｉｐ（０）と、Ｓｉｐ（１）とＳｉｐ（２）は、下限Ｌ２に抑制されるため、ＲＳＨ＝Ｓ（０）となる。このため、波形歪みを強調する不都合を防ぐことができる。【０１７７】
このように波形歪み量Ｄ’に応じたオフセット値ＯＦＳ１及びＯＦＳ２を上限Ｌ１及び下限Ｌ２に加算する情報再生装置２の効果は、上限Ｌ１又は下限Ｌ２と波形歪みとの位置関係に対するシンボルエラーレートの変化からも分かる。図２５に示すように、下限Ｌ２と波形歪みとが交わっている場合（つまり、Ｌ２−波形歪み量Ｄ’がマイナスとなる場合）と比較して、下限Ｌ２と波形歪みとが交わっていない場合（つまり、Ｌ２−波形歪み量Ｄ’がプラスとなる場合）におけるＳＥＲの値は改善している。もちろん、上限Ｌ１と波形歪みとの位置関係に対するシンボルエラーレートの変化についても同様のことが言える。【０１７８】
尚、光ディスク１００に記録される記録データには、通常のユーザデータに加えて、該ユーザデータを再生する際の同期をとるために用いられる同期データ（例えば、光ディスク１００がＤＶＤであればランレングス１４Ｔの記録データであり、光ディスク１００がＢｌｕ−ｒａｙ  Ｄｉｓｃであればランレングス９Ｔの記録データ）が含まれている。このような同期データが記録データに含まれていることを考慮して、図２６に示す構成を用いて波形歪み量Ｄ’に基づいてオフセット値ＯＦＳ１及びＯＦＳ２を算出するように構成してもよい。ここに、図２６は、同期データが記録データに含まれていることを考慮しながら、波形歪み量Ｄ’に基づいてオフセット値ＯＦＳ１及びＯＦＳ２を算出するオフセット算出ブロック１５４ｅの構成を概念的に示すブロック図である。【０１７９】
図２６に示すように、オフセット算出ブロック１５４ｅは、Ｔｍａｘ波形歪み量検出ブロック１５４１ｅと、Ｔｓｙｎｃ波形歪み量検出ブロック１５４２ｅと、リミッタ１５４３ｅと、リミッタ１５４４ｅと、セレクタ１５４５ｅとを備えている。【０１８０】
Ｔｍａｘ波形歪み量検出回路１５４１ｅは、上述したオフセット算出ブロック１５４ｄと同様の構成を有している。つまり、Ｔｍａｘ波形歪み量検出回路１５４１ｅは、ランレングスがＴｍａｘである記録データに対応する読取信号の波形歪み量Ｄ’１を検出する。【０１８１】
Ｔｓｙｎｃ波形歪み量検出回路１５４２ｅは、上述したオフセット算出ブロック１５４ｄのうちＴｍａｘ検出回路１５４２ｄを、Ｔｓｙｎｃ検出回路に置き換えた構成を有している。つまり、Ｔｓｙｎｃ波形歪み量検出回路１５４２ｅは、ランレングスがＴｓｙｎｃである記録データに対応する読取信号の波形歪み量Ｄ’２を検出する。【０１８２】
尚、Ｔｓｙｎｃは、同期データ（言い換えれば、ｓｙｎｃデータ）に対応する読取信号ＲＲＦ（より具体的には、該読取信号ＲＲＦに対応する読取サンプル値系列ＲＳＣ）を示している。例えば、光ディスク１００がＤＶＤであれば、Ｔｓｙｎｃは、ランレングスが１４Ｔの記録データに対応する読取信号ＲＲＦを示している。例えば、光ディスク１００がＢｌｕ−ｒａｙ  Ｄｉｓｃであれば、Ｔｓｙｎｃは、ランレングスが９Ｔの記録データに対応する読取信号ＲＲＦを示している。【０１８３】
Ｔｍａｘ波形歪み量検出回路１５４１ｅにおいて検出された波形歪み量Ｄ’１は、リミッタ１５４３ｅにおいて、振幅制限値設定ブロック１５１において設定される下限Ｌ２による制限を受ける。つまり、波形歪み量Ｄ’１が下限Ｌ２以下の値を有している（つまり、Ｔｍａｘの読取信号の波形歪みが下限Ｌ２と交わらない）場合には、オフセット値ＯＦＳ２として０がセレクタ１５４５ｅへ出力される。波形歪み量Ｄ’１が下限Ｌ２以上の値を有している（つまり、Ｔｍａｘの読取信号の波形歪みが下限Ｌ２と交わる）場合には、オフセット値ＯＦＳ２としてＤ’１−Ｌ２がセレクタ１５４５ｅへ出力される。【０１８４】
同様に、Ｔｓｙｎｃ波形歪み量検出回路１５４２ｅにおいて検出された波形歪み量Ｄ’２は、リミッタ１５４４ｅにおいて、振幅制限値設定ブロック１５１において設定される下限Ｌ２による制限を受ける。つまり、波形歪み量Ｄ’２が下限Ｌ２以下の値を有している（つまり、Ｔｓｙｎｃの読取信号の波形歪みが下限Ｌ２と交わらない）場合には、オフセット値ＯＦＳ２として０がセレクタ１５４５ｅへ出力される。波形歪み量Ｄ’２が下限Ｌ２以上の値を有している（つまり、Ｔｓｙｎｃの読取信号の波形歪みが下限Ｌ２と交わる）場合には、オフセット値ＯＦＳ２としてＤ’２−Ｌ２がセレクタ１５４５ｅへ出力される。【０１８５】
セレクタ１５４５ｅにおいては、同期データが出現するタイミングに立ち上がりパルスを有するＧＡＴＥ信号に基づいて、リミッタ１５４３ｅ及びリミッタ１５４４ｅの夫々の出力を適宜切り替えて、オフセット値ＯＦＳ２を出力する。具体的には、ＧＡＴＥ信号により立ち上がりパルスが発生していないタイミング（つまり、通常のユーザデータが再生されているタイミング）では、リミッタ１５４３ｅの出力をオフセット値ＯＦＳ２OFSとして出力する。他方、ＧＡＴＥ信号により立ち上がりパルスが発生しているタイミング（つまり、同期データが再生されているタイミング）では、リミッタ１５４４ｅの出力をオフセット値ＯＦＳ２として出力する。【０１８６】
このように、同期データが記録データに含まれていることを考慮しながら波形歪み量Ｄ’に基づいてオフセット値ＯＦＳ１及びＯＦＳ２を算出することで、ユーザデータよりもその重要性が高い同期データの高域強調を好適に行うことができ、その結果同期データの再生を好適に行うことができる。これにより、再生動作の安定性をより一層高めることができる。【０１８７】
尚、図２６における説明では、記録データを記録することによって、レーザ光ＬＢの反射率が減少する光ディスク１００を対象とした動作について説明した。しかしながら、記録データを記録することによって、レーザ光ＬＢの反射率が増加する光ディスク１００を対象としてよい。この場合、図２６に示すオフセット算出ブロック１５４ｅ中のリミッタ１５４３ｅ及び１５４４ｅの夫々は、振幅制限値設定ブロック１５１から出力される振幅制限値の上限Ｌ１に応じたレベル制限をかける。このため、リミッタ１５４３ｅからは、波形歪み量Ｄ’１が上限Ｌ１以上の値を有している（つまり、Ｔｍａｘの読取信号の波形歪みが上限Ｌ１と交わらない）場合には、オフセット値ＯＦＳ１として０がセレクタ１５４５ｅへ出力される。波形歪み量Ｄ’１が上限Ｌ１以下の値を有している（つまり、Ｔｍａｘの読取信号の波形歪みが上限Ｌ１と交わる）場合には、オフセット値ＯＦＳ１としてＤ’１−Ｌ１がセレクタ１５４５ｅへ出力される。同様に、リミッタ１５４４ｅからは、波形歪み量Ｄ’２が上限Ｌ１以上の値を有している（つまり、Ｔｍａｘの読取信号の波形歪みが上限Ｌ１と交わらない）場合には、オフセット値ＯＦＳ１として０がセレクタ１５４５ｅへ出力される。波形歪み量Ｄ’２が上限Ｌ１以下の値を有している（つまり、Ｔｍａｘの読取信号の波形歪みが上限Ｌ１と交わる）場合には、オフセット値ＯＦＳ１としてＤ’１−Ｌ１がセレクタ１５４５ｅへ出力される。【０１８８】
また、図２６を用いて示した例においては、ユーザデータの波形歪み量Ｄ１と同期データの波形歪み量Ｄ２とを適宜切り替えてオフセット値ＯＦＳ１やＯＦＳ２を算出する構成を示している。しかしながら、同期データの重要性に重点をおけば、同期データの波形歪み量Ｄ２を常に用いてオフセット値ＯＦＳ１やＯＦＳ２を算出するように構成してもよい。【０１８９】
尚、第２実施例においては、オフセット値ＯＦＳ１及びＯＦＳ２として、２Ａｓｙや、２βやＤをそのまま用いている。しかしながら、検出されるアシンメトリ値Ａｓｙやβ値や波形歪み量Ｄ’に応じて適切な値を、オフセット値ＯＦＳ１及びＯＦＳ２として設定してもよい。つまり、アシンメトリ値Ａｓｙやβ値や波形歪み量Ｄ’を変数とする所定の関数等により特定される値を、オフセット値ＯＦＳ１及びＯＦＳ２として設定してもよい。【０１９０】
また、第２実施例においては、アシンメトリ値やβ値や波形歪み量に応じて算出されるオフセット値ＯＦＳ１又はＯＦＳ２を上限Ｌ１又は下限Ｌ２に加算する構成について説明したが、任意のオフセット値を加算するように構成してもよい。或いは、上限Ｌ１及び下限Ｌ２を任意の値に設定するように構成してもよい。この場合、上限Ｌ１は、ランレングスが最も短い記録データに対応する読取信号よりも大きく且つランレングスが２番目に短い記録データに対応する読取信号よりも小さいことが好ましい。また、下限Ｌ２は、ランレングスが最も短い記録データに対応する読取信号よりも小さく且つランレングスが２番目に短い記録データに対応する読取信号よりも大きいことが好ましい。【０１９１】
尚、上述の説明では、データを記録することで、レーザ光の反射率が減少する光ディスク１００について説明を進めた。しかしながら、データを記録することで、レーザ光の反射率が増加する光ディスクについても同様の動作を行ってもよいことは言うまでもない。【０１９２】
本発明は、上述した実施例に限られるものではなく、請求の範囲及び明細書全体から読み取れる発明の要旨或いは思想に反しない範囲で適宜変更可能であり、そのような変更を伴う情報再生装置及び方法、並びにコンピュータプログラムもまた本発明の技術的範囲に含まれるものである。
【図１】
2008053543.tif 000003
【図２】
2008053543.tif 000004
【図３】
2008053543.tif 000005
【図４】
2008053543.tif 000006
【図５】
2008053543.tif 000007
【図６】
2008053543.tif 000008
【図７】
2008053543.tif 000009
【図８】
2008053543.tif 000010
【図９】
2008053543.tif 000011
【図１０】
2008053543.tif 000012
【図１１】
2008053543.tif 000013
【図１２】
2008053543.tif 000014
【図１３】
2008053543.tif 000015
【図１４】
2008053543.tif 000016
【図１５】
2008053543.tif 000017
【図１６】
2008053543.tif 000018
【図１７】
2008053543.tif 000019
【図１８】
2008053543.tif 000020
【図１９】
2008053543.tif 000021
【図２０】
2008053543.tif 000022
【図２１】
2008053543.tif 000023
【図２２】
2008053543.tif 000024
【図２３】
2008053543.tif 000025
【図２４】
2008053543.tif 000026
【図２５】
2008053543.tif 000027
【図２６】
2008053543.tif 000028
【手続補正書】
【提出日】平成21年4月6日(2009.4.6)
【手続補正１】
【補正対象書類名】明細書
【補正対象項目名】０１３７
【補正方法】変更
【補正の内容】
【０１３７】
図１５に示すように、アシンメトリ値は、ランレングスが最も長い記録データに対応する読取信号ＲＲＦの振幅中心に対する、ランレングスが最も短い記録データに対応する読取信号の振幅中心のずれを示す。具体的には、ランレングスが最も長い記録データに対応する読取信号ＲＲＦの振幅中心をＩｍａｘＣｎｔとし、ＩｍａｘＣｎｔを基準とするランレングスが最も長い記録データに対応する読取信号ＲＲＦのトップ振幅の大きさをＩｍａｘＨとし、ＩｍａｘＣｎｔを基準とするランレングスが最も長い記録データに対応する読取信号ＲＲＦのボトム振幅の大きさをＩｍａｘＬとし、ＩｍａｘＣｎｔを基準とするランレングスが最も短い記録データに対応する読取信号ＲＲＦのトップ振幅の大きさをＩｍｉｎＨとし、ＩｍａｘＣｎｔを基準とするランレングスが最も短い記録データに対応する読取信号ＲＲＦのボトム振幅の大きさをＩｍｉｎＬとすると、アシンメトリ値Ａｓｙ＝（（ＩｍａｘＨ＋ＩｍａｘＬ）−（ＩｍｉｎＨ＋ＩｍｉｎＬ））／（２×（ＩｍａｘＨ−ＩｍａｘＬ））にて示される。尚、ＩｍａｘＣｎｔは、ランレングスが最も長い記録データに対応する読取信号ＲＲＦのトップ振幅値とボトム振幅値との平均値である。
【国際調査報告】
2008053543.tif 000029
2008053543.tif 000030